(57)【特許請求の範囲】
【請求項１】
マクロセルフェムトセル間ハンドインのための方法であって、前記方法は以下を備える、
ワイヤレスワイドエリアネットワークリンクに対する帯域外通信（ＯＯＢ）チャネルを介してフェムトプロキシシステムから無方向性の近接要求メッセージを通信することであって、前記近接要求メッセージは、前記フェムトプロキシシステムに近接したときに複数のアクセス端末のいずれかによって受信されるように構成され、前記フェムトプロキシシステムが、コアネットワーク要素に通信可能に結合されたＯＯＢ無線とフェムトセルとを備える、ことと、
前記近接要求メッセージに応答して前記複数のアクセス端末のうちのあるアクセス端末からＯＯＢリンクを介して近接応答メッセージを受信することであって、前記近接応答メッセージは、前記アクセス端末が前記フェムトプロキシシステムに近接していることを示す、ことと、
前記ＯＯＢチャネルを介して前記近接応答メッセージを受信した後に、前記複数のアクセス端末のいずれかがアクティブなマクロネットワーク通信しているかどうかを判断すること、ここにおいて、前記複数のアクセス端末のいずれかがアクティブなマクロネットワーク通信しているかどうかを判断することが、逆方向リンク検知を使用してマクロチャネルを介して通信を検出することを備える、と、
近接していると判断された前記複数のアクセス端末のうちの少なくとも１つがアクティブなマクロ通信していると判断されたときのみ、前記フェムトセルに対する前記アクセス端末の近接を示すプレゼンスインジケーションを前記フェムトセルから前記コアネットワーク要素に通信することと、
マクロネットワークのソースマクロセルから前記フェムトセルへの前記アクセス端末のアクティブなハンドインを可能にすること。
【請求項２】
前記近接応答メッセージが前記アクセス端末のＯＯＢ識別子を含み、
前記プレゼンスインジケーションを通信することが、前記フェムトセルから前記コアネットワーク要素に前記ＯＯＢ識別子を通信することを備える、請求項１に記載の方法。
【請求項３】
前記アクセス端末の前記ＯＯＢ識別子を、前記マクロネットワーク上で前記アクセス端末を識別するＡＴ識別子にマッピングすることをさらに備える、請求項２に記載の方法。
【請求項４】
前記近接応答メッセージが前記アクセス端末のＯＯＢ識別子を含み、
前記フェムトプロキシシステムが企業サーバに通信可能に結合され、
前記方法が、
前記フェムトセルから前記企業サーバに前記ＯＯＢ識別子を通信することと、
ＯＯＢ識別子とアクセス端末識別子とのマッピングに従って前記企業サーバにおいてアクセス端末識別子を判断することとをさらに備え、
前記プレゼンスインジケーションを通信することが、前記企業サーバから前記コアネットワーク要素に前記アクセス端末識別子を通信することを備える、請求項１に記載の方法。
【請求項５】
前記マッピングが前記フェムトプロキシシステムにローカルに記憶され、
ＯＯＢプレゼンスインジケーションを通信することが、
前記マッピングに従って前記フェムトプロキシシステムにおいてアクセス端末識別子を判断することと、
前記フェムトプロキシシステムから前記コアネットワーク要素に前記アクセス端末識別子を通信することと、
を備える、請求項３に記載の方法。
【請求項６】
前記複数のアクセス端末のうちの前記アクセス端末から、前記マクロネットワーク上で前記アクセス端末を識別するアクセス端末識別子を受信することをさらに備え、前記プレゼンスインジケーションを通信することが、前記ＡＴ識別子を通信することを備える、請求項１に記載の方法。
【請求項７】
前記アクセス端末の前記アクセス端末識別子が国際モバイル加入者識別情報（ＩＭＳＩ）を備える、請求項６に記載の方法。
【請求項８】
前記アクセス端末の前記アクセス端末識別子が国際モバイル加入者識別情報を備える、請求項６に記載の方法。
【請求項９】
前記ＯＯＢリンクが短距離ワイヤレス通信リンクである、請求項１に記載の方法。
【請求項１０】
前記無方向性の近接要求メッセージがインクワイアリパケットであり、
前記近接応答メッセージがインクワイアリ応答パケットである、請求項９に記載の方法。
【請求項１１】
発見可能モードにあるアクセス端末において前記無方向性の近接要求を受信することをさらに備える、請求項１０に記載の方法。
【請求項１２】
前記発見可能モードが制限付き発見可能モードであり、前記無方向性の近接要求が制限付き照会アクセスコードを備える、請求項１１に記載の方法。
【請求項１３】
前記発見可能モードが制限付き発見可能モードであり、前記アクセス端末が、トリガに応答して前記制限付き発見可能モードに入る、請求項１１に記載の方法。
【請求項１４】
前記受信することは、前記複数のアクセス端末のうちの前記アクセス端末が規定デバイスクラスのアクセス端末である場合のみ、前記アクセス端末から前記ＯＯＢリンクを介して前記近接応答メッセージを受信することを備える、請求項１に記載の方法。
【請求項１５】
ハンドオフ要求に応答して前記コアネットワーク要素からモバイル検出要求を受信することをさらに備え、前記無方向性の近接要求メッセージを通信することが、前記モバイル検出要求を受信したことに応答する、請求項１に記載の方法。
【請求項１６】
前記無方向性の近接要求メッセージを通信することが、前記コアネットワーク要素からの要求とは無関係に実行される、請求項１に記載の方法。
【請求項１７】
フェムトプロキシシステムであって、前記フェムトプロキシシステムは以下を備える、
コアネットワーク要素を介してマクロネットワークに通信可能に結合されるように構成されたフェムトセルと、
ワイヤレスワイドエリアネットワークリンクに対する帯域外通信（ＯＯＢ）チャネルを介して複数のアクセス端末と通信するように構成され、前記フェムトセルに通信可能に結合されたＯＯＢプロキシと、および
通信管理サブシステムであって、前記フェムトセルと前記ＯＯＢプロキシとに通信可能に結合され、以下のことを行うために構成される、
前記ＯＯＢチャネルを介して無方向性の近接要求メッセージを送るように前記ＯＯＢプロキシに指示し、前記近接要求メッセージは前記フェムトセルに近接したときに前記複数のアクセス端末のいずれかによって受信されるように構成される、ことと、
前記近接要求メッセージに応答して前記複数のアクセス端末のうちのある特定のアクセス端末から前記ＯＯＢチャネルを介して近接応答メッセージを受信し、前記近接応答メッセージは、前記アクセス端末が前記フェムトセルに近接していることを示す、ことと、
逆方向リンク検知を使用して前記特定のアクセス端末がアクティブなマクロネットワーク通信しているかどうかを判断することと、
前記特定のアクセス端末がアクティブなマクロネットワーク通信している場合のみ、前記フェムトセルに対する前記特定のアクセス端末の近接を示すプレゼンスインジケーションを前記コアネットワーク要素に送るように前記フェムトセルに指示することと、
前記プレゼンスインジケーションに応答して前記マクロネットワークから転送指示を受信したことに応答して、前記マクロネットワークのソースマクロセルから前記フェムトセルへの前記特定のアクセス端末のアクティブなハンドインを可能にすること。
【請求項１８】
前記通信管理サブシステムが、前記近接応答メッセージ中に含まれている前記特定のアクセス端末のＯＯＢ識別子を前記コアネットワーク要素に送るようにさらに構成された、請求項１７に記載のシステム。
【請求項１９】
前記通信管理サブシステムが、前記近接応答メッセージ中に含まれている前記特定のアクセス端末のＯＯＢ識別子を、前記特定のアクセス端末を識別するＡＴ識別子にマッピングすることと、前記ＡＴ識別子を前記プレゼンスインジケーション中に含めることとを行うようにさらに構成された、請求項１７に記載のシステム。
【請求項２０】
前記通信管理サブシステムが、リモートデバイスからモバイル検出要求を受信したことに応答して前記無方向性の近接要求メッセージを送るように前記ＯＯＢプロキシに指示するように構成された、請求項１７に記載のシステム。
【請求項２１】
前記通信管理サブシステムが、前記コアネットワーク要素からのいかなる要求とも無関係に前記無方向性の近接要求メッセージを送るように前記ＯＯＢプロキシに指示するように構成された、請求項１７に記載のシステム。
【請求項２２】
フェムトプロキシシステムであって、前記フェムトプロキシシステムは以下を備える、
コアネットワーク要素を介してマクロネットワークと通信するためのマクロ通信手段と、
ワイヤレスワイドエリアネットワークリンクに対する帯域外通信（ＯＯＢ）チャネルを介して複数のアクセス端末と通信するためのＯＯＢの通信手段と、
ある特定のアクセス端末がアクティブなマクロネットワーク通信しているかどうかを判断するためのアクティブなマクロ手段、ここにおいて、前記アクティブなマクロ手段は逆方向リンク検知を使用して前記特定のアクセス端末がアクティブなマクロネットワーク通信しているかどうかを判断するように構成される、と、
前記フェムトプロキシシステムに対する前記特定のアクセス端末の近接を示すプレゼンスインジケーションを前記コアネットワーク要素に送るためのプレゼンスの手段、前記プレゼンスの手段は前記特定のアクセス端末がアクティブなマクロネットワーク通信している場合のみ、前記プレゼンスインジケーションを送るように構成される、と、
前記プレゼンスインジケーションに応答して前記マクロネットワークから転送指示を受信したことに応答して、前記マクロネットワークのソースマクロセルから前記フェムトプロキシシステムへの前記特定のアクセス端末のアクティブなハンドインを可能にするための手段。
【請求項２３】
前記ＯＯＢチャネルを介して無方向性の近接要求メッセージを送るように前記ＯＯＢの通信手段に指示するための手段を備え、前記近接要求メッセージは、前記フェムトプロキシシステムに近接したときに前記複数のアクセス端末のいずれかによって受信されるように構成され、ここにおいて、前記ＯＯＢの通信手段は、前記近接要求メッセージに応答して前記複数のアクセス端末のうちのある特定のアクセス端末から前記ＯＯＢチャネルを介して近接応答メッセージを受信するように構成され、前記近接応答メッセージが、前記アクセス端末が前記フェムトプロキシシステムに近接していることを示す、請求項２２に記載のシステム。
【請求項２４】
前記プレゼンスの手段が、前記近接応答メッセージ中に含まれている前記特定のアクセス端末のＯＯＢ識別子を前記コアネットワーク要素に送るようにさらに構成された、請求項２３に記載のシステム。
【請求項２５】
前記近接応答メッセージ中に含まれている前記特定のアクセス端末のＯＯＢ識別子を、前記特定のアクセス端末を識別するＡＴ識別子にマッピングするための手段をさらに備え、前記プレゼンスの手段が、前記ＡＴ識別子を前記プレゼンスインジケーション中に含めるように構成された、請求項２３に記載のシステム。
【請求項２６】
前記ＯＯＢの通信手段が、前記ＯＯＢチャネルを介して前記特定のアクセス端末から無方向性の近接要求メッセージを受信するための手段を備え、前記近接要求メッセージは、前記特定のアクセス端末に近接したいずれかのフェムトプロキシシステムによって受信されるように構成され、前記システムは、前記近接要求メッセージに応答して前記特定のアクセス端末に前記ＯＯＢチャネルを介して近接応答メッセージを送るように前記ＯＯＢの通信手段に指示するための手段をさらに備え、前記近接応答メッセージが、前記フェムトプロキシシステムが前記特定のアクセス端末に近接していることを示す、請求項２２に記載のシステム。
【請求項２７】
前記ＯＯＢの通信手段が、リモートデバイスからモバイル検出要求を受信したことに応答して前記無方向性の近接要求メッセージを送るように構成された、請求項２３に記載のシステム。
【請求項２８】
前記ＯＯＢの通信手段が、前記コアネットワーク要素からの要求とは無関係に前記無方向性の近接要求メッセージを送りうる、請求項２３に記載のシステム。
【請求項２９】
フェムトプロキシシステムのコンピュータ可読記憶媒体であって、前記コンピュータ可読記憶媒体は前記フェムトプロキシシステムのコンピュータに以下のことを行わせるように構成されるコンピュータ可読命令を備える、
ワイヤレスワイドエリアネットワークリンクに対する帯域外通信（ＯＯＢ）プロキシを介して、ＯＯＢチャネルを介して無方向性の近接要求メッセージを送り、前記近接要求メッセージが、前記フェムトプロキシシステムに近接したときに複数のアクセス端末のいずれかによって受信されるように構成される、ことと、
前記近接要求メッセージに応答して前記複数のアクセス端末のうちのある特定のアクセス端末から前記ＯＯＢチャネルを介して近接応答メッセージを受信し、前記近接応答メッセージは、前記アクセス端末が前記フェムトプロキシシステムに近接していることを示す、ことと、
逆方向リンクの検知を使用して前記特定のアクセス端末がアクティブなマクロネットワーク通信しているかどうかを判断することと、
前記特定のアクセス端末がアクティブなマクロネットワーク通信している場合のみ、前記フェムトプロキシシステムに対するある特定のアクセス端末の近接度を示すプレゼンスインジケーションを、前記近接要求メッセージに応答した、前記複数のアクセス端末のうちの前記特定のアクセス端末からの前記ＯＯＢチャネルを介した近接応答メッセージの受信に応答して、コアネットワーク要素に送り、前記近接応答メッセージは、前記アクセス端末が前記フェムトプロキシシステムに近接していることを示す、ことと、
前記プレゼンスインジケーションに応答したマクロネットワークからの転送指示の受信に応答して、前記マクロネットワークのソースマクロセルから前記フェムトプロキシシステムへの前記特定のアクセス端末のアクティブなハンドインを可能にすること。
【請求項３０】
前記命令が、前記ＯＯＢプロキシに、前記近接応答メッセージ中に含まれている前記特定のアクセス端末のＯＯＢ識別子を前記コアネットワーク要素に送ることを行わせるように構成された、請求項２９に記載のコンピュータ可読記憶媒体。
【請求項３１】
前記コンピュータに、前記近接応答メッセージ中に含まれている前記特定のアクセス端末のＯＯＢ識別子を、前記特定のアクセス端末を識別するＡＴ識別子にマッピングすることと、前記ＡＴ識別子を前記プレゼンスインジケーション中に含めることとを行わせるように構成された命令をさらに備える、請求項２９に記載のコンピュータ可読記憶媒体。
【請求項３２】
前記コンピュータに、リモートデバイスからモバイル検出要求を受信したことに応答して前記無方向性の近接要求メッセージを送るように前記ＯＯＢプロキシに指示することを行わせるように構成された命令をさらに備える、請求項２９に記載のコンピュータ可読記憶媒体。
【請求項３３】
前記コンピュータに、マクロセルネットワークデバイスからの要求とは無関係であるトリガに応答して前記無方向性の近接要求メッセージを送るように前記ＯＯＢプロキシに指示することを行わせるように構成された命令をさらに備える、請求項２９に記載のコンピュータ可読記憶媒体。
【請求項３４】
マクロセルフェムトセル間ハンドインのためにアクセス端末をターゲットフェムトプロキシシステムに関連付けるための方法であって、前記方法は、
短距離ワイヤレス通信チャネルである、ワイヤレスワイドエリアネットワークリンクに対する帯域外通信（ＯＯＢ）チャネルを介してアクセス端末からフェムトプロキシシステムに無方向性の照会を通信することと、
前記無方向性の照会に応答して前記フェムトプロキシシステムから前記ＯＯＢチャネルを介して応答を受信することと、
逆方向リンクの検知を使用することにより、前記フェムトプロキシシステムによって、前記フェムトプロキシシステムに近接したいずれかのアクセス端末がアクティブなマクロセル通信しているかどうかを検出することと、
前記アクセス端末と前記フェムトプロキシシステムとの間の短距離ワイヤレス通信リンクである、ワイヤレスワイドエリアネットワークリンクに対する帯域外通信（ＯＯＢ）リンクを確立することと、
前記ＯＯＢリンクを介して前記アクセス端末から前記フェムトプロキシシステムに一意のアクセス端末識別子を送ることと、
前記フェムトプロキシシステムからコアネットワーク要素に前記一意のアクセス端末識別子を送ること、ここにおいて、前記フェムトプロキシシステムは、対応する前記アクセス端末がアクティブなマクロセル通信している場合のみ、前記コアネットワーク要素に前記一意の識別子を送る、と、
を備える、方法。
【請求項３５】
前記一意のアクセス端末識別子を前記コアネットワーク要素中のメモリに記憶することをさらに備える、請求項３４に記載の方法。
【請求項３６】
前記アクセス端末が、前記フェムトプロキシシステムに対する前記アクセス端末のロケーション、前記アクセス端末における無線周波シグナチャ、または前記アクセス端末の呼ステータスのうちの少なくとも１つを備えるトリガに応答して、前記無方向性の照会を通信する、請求項３４に記載の方法。
【発明の詳細な説明】
【関連出願の相互参照】
【０００１】
本出願は、すべての目的のために参照により本明細書に組み込まれる、２０１１年８月５日に出願された「Uniquely Identifying Target Femtocell to Facilitate Active Hand-In」と題する米国仮出願第６１／５１５，７０７号の利益を主張する。
【背景技術】
【０００２】
様々な形態のネットワークによって行われる情報通信は、今日、世界中で広く使用されている。たとえば、ボイスおよび／またはデータを搬送するために、ワイヤレスおよびワイヤラインリンクを使用して通信している複数のノードを有するネットワークが使用される。そのようなネットワークのノードは、コンピュータ、携帯情報端末（ＰＤＡ）、電話、サーバ、ルータ、スイッチ、マルチプレクサ、モデム、無線、アクセスポイント、基地局などであり得る。セルラーフォン、ＰＤＡ、ラップトップコンピュータなど、（ユーザ機器（ＵＥ）またはアクセス端末（ＡＴ）とも呼ばれる）多くのクライアントデバイスノードはモバイルであり、したがって、いくつかの異なるインターフェースを通してネットワークと接続し得る。
【０００３】
モバイルクライアントデバイスは、（本明細書ではまとめてアクセスポイントと呼ぶ）基地局、アクセスポイント、ワイヤレスルータなどを介してネットワークとワイヤレスに接続し得る。モバイルクライアントデバイスは、比較的長い時間期間の間そのようなアクセスポイントのサービスエリア内に残り得る（アクセスポイントに「キャンプオン」（Camped  on）していると呼ばれる）か、またはアクセスポイントサービスエリアを通って比較的迅速に進み得、アクセスポイントとの関連付けが変更されたとき、通信セッションを維持するためまたはアイドルモード動作のために、セルラーハンドオフ技法または再選択技法が使用される。利用可能なスペクトル、帯域幅、容量などに関する問題により、特定のクライアントデバイスとアクセスポイントとの間のネットワークインターフェースが利用不可能または不適切になり得る。その上、シャドーイング、マルチパスフェージング、干渉など、ワイヤレス信号伝搬に関する問題により、特定のクライアントデバイスとアクセスポイントとの間のネットワークインターフェースが利用不可能または不適切になり得る。
【０００４】
セルラーネットワークは、サービスエリア内で所望の帯域幅と容量とワイヤレス通信カバレージとを与えるために、マクロセル、マイクロセル、ピコセル、およびフェムトセルなど、様々なセルタイプの使用を採用した。たとえば、フェムトセルの使用は、しばしば、ネットワークカバレージが不十分なエリア（たとえば、建築物の内部）においてワイヤレス通信を行うこと、増加したネットワーク容量を与えること、バックホールのためにブロードバンドネットワーク容量を利用することなどのために望ましい。
【発明の概要】
【０００５】
本開示は、モバイルアクセス端末のためのアクティブなマクロ通信のマクロセルフェムトセル間ハンドイン(hand-in)をサポートするためのシステムおよび方法を対象とする。フェムトプロキシシステムが、フェムトプロキシシステムの一部として帯域外（ＯＯＢ：out-of-band）無線を使用してＯＯＢチャネルを介してブロードキャスト技法（たとえば、Ｂｌｕｅｔｏｏｔｈ（登録商標）照会）を使用して、フェムトプロキシシステムに近接したアクセス端末を検出する。それに近接したアクセス端末を検出すると、フェムトプロキシシステムのフェムトセルは、アクセス端末を、マクロネットワークと通信しているコアネットワーク要素（たとえば、フェムトコンバージェンスシステム(femto convergence system)または他のタイプのインターフェースゲートウェイ）に事前登録するためにＯＯＢプレゼンスインジケータ（presence indicator）を通信する。フェムトコンバージェンスシステムが、マクロネットワークから事前登録されたアクセス端末を示唆するハンドオフ要求を受信したとき、フェムトコンバージェンスシステムは、ＯＯＢプレゼンスインジケーション（presence indication）に従ってハンドインのために使用すべき適切なフェムトセルを確実に判断することが可能である。
【０００６】
マクロセルフェムトセル間ハンドインのための方法の一例は以下を含む、帯域外（ＯＯＢ）チャネルを介してフェムトプロキシシステムから無方向性の近接要求メッセージ（non-directed proximity request message）を通信することであって、近接要求メッセージは、フェムトプロキシシステムに近接したときに複数のアクセス端末のいずれかによって受信されるように構成され、フェムトプロキシシステムが、コアネットワーク要素に通信可能に結合されたＯＯＢ無線とフェムトセルとを備える、ことと、近接要求メッセージに応答して複数のアクセス端末のうちのあるアクセス端末からＯＯＢリンクを介して近接応答メッセージ（proximity response message）を受信することであって、近接応答メッセージは、上記アクセス端末がフェムトプロキシシステムに近接していることを示す、ことと、フェムトセルに対する上記アクセス端末の近接を示すプレゼンスインジケーションをフェムトセルからコアネットワーク要素に通信することと、マクロネットワークのソースマクロセルからフェムトセルへの上記アクセス端末のアクティブなハンドインを可能にすること。  そのような方法の実装形態は、以下の特徴のうちの１つまたは複数を含み得る。近接応答メッセージは上記アクセス端末のＯＯＢ識別子を含み、プレゼンスインジケーションを通信することは、フェムトセルからコアネットワーク要素にＯＯＢ識別子を通信することを備える。本方法は、上記アクセス端末のＯＯＢ識別子を、マクロネットワーク上で上記アクセス端末を識別するＡＴ識別子にマッピングすることをさらに含む。近接応答メッセージは上記アクセス端末のＯＯＢ識別子を含み、フェムトプロキシシステムは企業サーバに通信可能に結合され、本方法は、フェムトセルから企業サーバにＯＯＢ識別子を通信することと、ＯＯＢ識別子とアクセス端末識別子とのマッピングに従って企業サーバにおいてアクセス端末識別子を判断することとをさらに含み、プレゼンスインジケーションを通信することは、企業サーバからコアネットワーク要素にアクセス端末識別子を通信することを備える。マッピングはフェムトプロキシシステムにローカルに記憶され、ＯＯＢプレゼンスインジケーションを通信することは、マッピングに従ってフェムトプロキシシステムにおいてアクセス端末識別子を判断することと、フェムトプロキシシステムからコアネットワーク要素にアクセス端末識別子を通信することとを含む。
【０００７】
代替または追加として、そのような方法の実装形態は、以下の特徴のうちの１つまたは複数を含み得る。本方法は、複数のアクセス端末のうちの上記アクセス端末から、マクロネットワーク上で上記アクセス端末を識別するアクセス端末識別子を受信することをさらに含み、プレゼンスインジケーションを通信することは、ＡＴ識別子を通信することを備える。上記アクセス端末のアクセス端末識別子は国際モバイル加入者識別情報（ＩＭＳＩ：International Mobile Subscriber Identity）を含む。上記アクセス端末のアクセス端末識別子はモバイル加入者統合サービスデジタルネットワークを含む。
【０００８】
代替または追加として、そのような方法の実装形態は、以下の特徴のうちの１つまたは複数を含み得る。本方法は、ＯＯＢチャネルを介して近接応答メッセージを受信した後に、複数のアクセス端末のいずれかがアクティブなマクロネットワーク通信しているかどうかを判断することと、近接していると判断された複数のアクセス端末のうちの少なくとも１つがアクティブなマクロ通信していると判断されたときのみ、フェムトセルからコアネットワーク要素にＯＯＢプレゼンスインジケーションを通信することとをさらに含む。複数のアクセス端末のいずれかがアクティブなマクロ通信しているかどうかを判断することは、逆方向リンクの検知を使用してマクロチャネルを介して通信を検出することを含む。
【０００９】
代替または追加として、そのような方法の実装形態は、以下の特徴のうちの１つまたは複数を含み得る。ＯＯＢリンクは短距離ワイヤレス通信リンクである。無方向性の近接要求メッセージはインクワイアリパケット（inquiry packet）であり、近接応答メッセージはインクワイアリ応答パケット（inquiry response packet）である。本方法は、発見可能モード（discoverable mode）にあるアクセス端末において無方向性の近接要求を受信することをさらに含む。発見可能モードは制限付き発見可能モードであり、無方向性の近接要求は制限付き照会アクセスコードを備える。発見可能モードは制限付き発見可能モードであり、上記アクセス端末は、トリガに応答して制限付き発見可能モードに入る。
【００１０】
代替または追加として、そのような方法の実装形態は、以下の特徴のうちの１つまたは複数を含み得る。上記受信することは、複数のアクセス端末のうちの上記アクセス端末が規定デバイスクラスのアクセス端末である場合のみ、上記アクセス端末からＯＯＢリンクを介して近接応答メッセージを受信することを備える。本方法は、ハンドオフ要求に応答してコアネットワーク要素からモバイル検出要求を受信することをさらに含み、無方向性の近接要求メッセージを通信することは、モバイル検出要求を受信したことに応答する。無方向性の近接要求メッセージを通信することは、コアネットワーク要素からの要求とは無関係に実行される。
【００１１】
フェムトプロキシシステムの一例は以下を含む、コアネットワーク要素を介してマクロネットワークに通信可能に結合されるように構成されたフェムトセルと、ＯＯＢチャネルを介して複数のアクセス端末と通信するように構成され、フェムトセルに通信可能に結合された帯域外（ＯＯＢ）プロキシと、および、通信管理サブシステムであって、フェムトセルとＯＯＢプロキシとに通信可能に結合され、以下のことのために構成される、ＯＯＢチャネルを介して無方向性の近接要求メッセージを送るようにＯＯＢプロキシに指示し、近接要求メッセージはフェムトセルに近接したときに複数のアクセス端末のいずれかによって受信されるように構成される、ことと、近接要求メッセージに応答して複数のアクセス端末のうちのある特定のアクセス端末からＯＯＢチャネルを介して近接応答メッセージを受信し、近接応答メッセージは上記アクセス端末がフェムトセルに近接していることを示す、ことと、フェムトセルに対する上記特定のアクセス端末の近接を示すプレゼンスインジケーションをコアネットワーク要素に送るようにフェムトセルに指示することと、プレゼンスインジケーションに応答してマクロネットワークから転送指示を受信したことに応答して、マクロネットワークのソースマクロセルからフェムトセルへの上記特定のアクセス端末のアクティブなハンドインを可能にすること。
【００１２】
そのようなフェムトプロキシシステムの実装形態は、以下の特徴のうちの１つまたは複数を含み得る。通信管理サブシステムは、近接応答メッセージ中に含まれている上記特定のアクセス端末のＯＯＢ識別子をコアネットワーク要素に送るようにさらに構成される。通信管理サブシステムは、近接応答メッセージ中に含まれている上記特定のアクセス端末のＯＯＢ識別子を、上記特定のアクセス端末を識別するＡＴ識別子にマッピングすることと、ＡＴ識別子をプレゼンスインジケーション中に含めることとを行うようにさらに構成される。通信管理サブシステムは、上記特定のアクセス端末がアクティブなマクロネットワーク通信しているかどうかを判断することと、上記特定のアクセス端末がアクティブなマクロネットワーク通信している場合のみ、プレゼンスインジケーションを送ることとを行うようにさらに構成される。通信管理サブシステムは、逆方向リンクの検知を使用して上記特定のアクセス端末がアクティブなマクロネットワーク通信しているかどうかを判断するように構成される。通信管理サブシステムは、リモートデバイスからモバイル検出要求を受信したことに応答して無方向性の近接要求メッセージを送るようにＯＯＢプロキシに指示するように構成される。通信管理サブシステムは、コアネットワーク要素からのいかなる要求とも無関係に無方向性の近接要求メッセージを送るようにＯＯＢプロキシに指示するように構成される。
【００１３】
フェムトプロキシシステムの別の例は、コアネットワーク要素を介してマクロネットワークと通信するためのマクロ通信手段と、帯域外（ＯＯＢ）チャネルを介して複数のアクセス端末と通信するためのＯＯＢ通信手段と、フェムトプロキシシステムに対するある特定のアクセス端末の近接を示すプレゼンスインジケーションをコアネットワーク要素に送るためのプレゼンスの手段と、プレゼンスインジケーションに応答してマクロネットワークから転送指示を受信したことに応答して、マクロネットワークのソースマクロセルからフェムトプロキシシステムへの上記特定のアクセス端末のアクティブなハンドインを可能にするための手段とを含む。
【００１４】
そのようなフェムトプロキシシステムの実装形態は、以下の特徴のうちの１つまたは複数を含み得る。本システムは、ＯＯＢチャネルを介して無方向性の近接要求メッセージを送るようにＯＯＢ通信手段に指示するための手段を含み、近接要求メッセージは、フェムトプロキシシステムに近接したときに複数のアクセス端末のいずれかによって受信されるように構成され、ここにおいて、ＯＯＢ通信手段は、近接要求メッセージに応答して複数のアクセス端末のうちのある特定のアクセス端末からＯＯＢチャネルを介して近接応答メッセージを受信するように構成され、近接応答メッセージは、上記アクセス端末がフェムトプロキシシステムに近接していることを示す。プレゼンスの手段は、近接応答メッセージ中に含まれている上記特定のアクセス端末のＯＯＢ識別子をコアネットワーク要素に送るようにさらに構成される。本システムは、近接応答メッセージ中に含まれている上記特定のアクセス端末のＯＯＢ識別子を、上記特定のアクセス端末を識別するＡＴ識別子にマッピングするための手段をさらに含み、プレゼンスの手段は、ＡＴ識別子をプレゼンスインジケーション中に含めるように構成される。
【００１５】
追加または代替として、そのようなフェムトプロキシシステムの実装形態は、以下の特徴のうちの１つまたは複数を含み得る。本システムは、上記特定のアクセス端末がアクティブなマクロネットワーク通信しているかどうかを判断するためのアクティブなマクロ手段をさらに含み、プレゼンスの手段は、上記特定のアクセス端末がアクティブなマクロネットワーク通信している場合のみ、プレゼンスインジケーションを送るように構成される。アクティブなマクロ手段は、逆方向リンクの検知を使用して上記特定のアクセス端末がアクティブなマクロネットワーク通信しているかどうかを判断するように構成される。ＯＯＢ通信手段は、ＯＯＢチャネルを介して上記特定のアクセス端末から無方向性の近接要求メッセージを受信するための手段を備え、近接要求メッセージは、上記特定のアクセス端末に近接したいずれかのフェムトプロキシシステムによって受信されるように構成され、本システムは、近接要求メッセージに応答して上記特定のアクセス端末にＯＯＢチャネルを介して近接応答メッセージを送るようにＯＯＢ通信手段に指示するための手段を備え、近接応答メッセージは、フェムトプロキシシステムが上記特定のアクセス端末に近接していることを示す。
【００１６】
代替または追加として、そのようなフェムトプロキシシステムの実装形態は、以下の特徴のうちの１つまたは複数を含み得る。ＯＯＢ通信手段は、リモートデバイスからモバイル検出要求を受信したことに応答して無方向性の近接要求メッセージを送るように構成される。ＯＯＢ通信手段は、コアネットワーク要素からの要求とは無関係に無方向性の近接要求メッセージを送りうる。
【００１７】
フェムトプロキシシステムのコンピュータ可読記憶媒体の一例は、フェムトプロキシシステムのコンピュータに以下のことをさせるように構成されるコンピューター可読命令を含み、それは、帯域外（ＯＯＢ）プロキシを介して、ＯＯＢチャネルを介して無方向性の近接要求メッセージを送り、近接要求メッセージは、フェムトプロキシシステムに近接したときに複数のアクセス端末のいずれかによって受信されるように構成される、ことと、近接要求メッセージに応答して複数のアクセス端末のうちのある特定のアクセス端末からＯＯＢチャネルを介して近接応答メッセージを受信し、近接応答メッセージは、上記アクセス端末がフェムトプロキシシステムに近接していることを示す、ことと、フェムトプロキシシステムに対するある特定のアクセス端末の近接を示すプレゼンスインジケーションを、近接要求メッセージに応答した、複数のアクセス端末のうちの上記特定のアクセス端末からのＯＯＢチャネルを介した近接応答メッセージの受信に応答して、コアネットワーク要素に送り、近接応答メッセージは、上記アクセス端末がフェムトプロキシシステムに近接していることを示す、ことと、プレゼンスインジケーションに応答したマクロネットワークからの転送指示の受信に応答して、マクロネットワークのソースマクロセルからフェムトプロキシシステムへの上記特定のアクセス端末のアクティブなハンドインを可能にすることである。
【００１８】
そのようなコンピュータ可読媒体の実装形態は、以下の特徴のうちの１つまたは複数を含み得る。上記命令は、ＯＯＢプロキシに、近接応答メッセージ中に含まれている上記特定のアクセス端末のＯＯＢ識別子をコアネットワーク要素に送ることを行わせるように構成される。本コンピュータ可読記憶媒体は、コンピュータに、近接応答メッセージ中に含まれている上記特定のアクセス端末のＯＯＢ識別子を、上記特定のアクセス端末を識別するＡＴ識別子にマッピングすることと、ＡＴ識別子をプレゼンスインジケーション中に含めることとを行わせるように構成された命令をさらに含む。本コンピュータ可読記憶媒体は、コンピュータに、上記特定のアクセス端末がアクティブなマクロネットワーク通信しているかどうかを判断することと、上記特定のアクセス端末がアクティブなマクロネットワーク通信している場合のみ、プレゼンスインジケーションを送ることとを行わせるように構成されたアクティブなマクロ命令をさらに含む。アクティブなマクロ命令は、コンピュータに、逆方向リンクの検知を使用して上記特定のアクセス端末がアクティブなマクロネットワーク通信しているかどうかを判断することを行わせるように構成される。本コンピュータ可読媒体は、コンピュータに、リモートデバイスからモバイル検出要求を受信したことに応答して無方向性の近接要求メッセージを送るようにＯＯＢプロキシに指示することを行わせるように構成された命令をさらに含む。本コンピュータ可読媒体は、コンピュータに、マクロセルネットワークデバイスからの要求とは無関係であるトリガに応答して無方向性の近接要求メッセージを送るようにＯＯＢプロキシに指示することを行わせるように構成された命令をさらに含む。
【００１９】
マクロセルフェムトセル間ハンドインに関するターゲットのフェムトプロキシシステムにアクセス端末を関連付けるための方法の一例は、短距離帯域外（ＯＯＢ）チャネルを介してアクセス端末からフェムトプロキシシステムに無方向性のの照会を通信することと、無方向性のの照会(non-directed inquiry)に応答してフェムトプロキシシステムからＯＯＢチャネルを介して応答を受信することと、アクセス端末とフェムトプロキシシステムとの間のＯＯＢリンクを確立することと、ＯＯＢリンクを介してアクセス端末からフェムトプロキシシステムに一意のアクセス端末識別子を送ることとを含む。
【００２０】
そのような方法の実装形態は、以下の特徴のうちの１つまたは複数を含み得る。本方法は、フェムトプロキシシステムからコアネットワーク要素に一意のアクセス端末識別子を送ることをさらに含む。本方法は、フェムトプロキシシステムによって、フェムトプロキシシステムに近接したいずれかのアクセス端末がアクティブなマクロセル通信しているかどうかを検出することをさらに含み、ここにおいて、フェムトプロキシシステムは、対応するアクセス端末がアクティブなマクロセル通信している場合のみ、コアネットワーク要素に一意の識別子を送る。本方法は、一意のアクセス端末識別子をコアネットワーク要素中のメモリに記憶することをさらに含む。アクセス端末は、フェムトプロキシシステムに対するアクセス端末のロケーション、アクセス端末における無線周波シグナチャ、またはアクセス端末の呼ステータスのうちの少なくとも１つを備えるトリガに応答して、無方向性の照会を通信する。
【００２１】
アクセス端末の一例は、短距離帯域外（ＯＯＢ）リンクを介してアクセス端末からフェムトプロキシシステムに無方向性の照会を通信するための手段と、無方向性の照会に応答してフェムトプロキシシステムからＯＯＢリンクを介して応答を受信するための手段と、アクセス端末とフェムトプロキシシステムとの間のＯＯＢリンクを確立するための手段と、ＯＯＢリンクを介してアクセス端末からフェムトプロキシシステムに一意のアクセス端末識別子を送るための手段とを含む。
【００２２】
そのようなアクセス端末の実装形態は、以下の特徴のうちの１つまたは複数を含み得る。通信するための手段は、フェムトプロキシシステムに対するアクセス端末のロケーション、アクセス端末における無線周波シグナチャ、またはアクセス端末の呼ステータスのうちの少なくとも１つを備えるトリガに応答して、無方向性の照会を通信するように構成される。
【００２３】
上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で提供され、特許請求の範囲を定めるものではない。
【００２４】
本明細書の残りの部分および図面を参照すれば、本開示によって提供される例の性質および利点がさらに理解され得る。複数の図面全体にわたって同様の構成要素を指すのに同様の参照番号を使用する。場合によっては、複数の同様の構成要素のうちの１つを示すためにサブラベルを参照番号に関連付ける。既存のサブラベルの特定なしに参照番号を参照するとき、参照番号はすべてのそのような同様の構成要素を指す。
【図面の簡単な説明】
【００２５】
【図１】ワイヤレス通信システムのブロック図。
【図２Ａ】フェムトプロキシシステムを含む例示的なワイヤレス通信システムのブロック図。
【図２Ｂ】図２Ａに示したアーキテクチャとは異なるフェムトプロキシシステムのアーキテクチャを含む例示的なワイヤレス通信システムのブロック図。
【図３】図２Ａに示した通信管理サブシステムの機能を実装するためのプロセッサモジュールの一例のブロック図。
【図４Ａ】レガシー回線サービスのためのフェムトセルアーキテクチャの一例に関する詳細を示す図。
【図４Ｂ】レガシーインターフェースを使用するパケットデータサービスアクセスのためのフェムトセルアーキテクチャの一例に関する詳細を示す図。
【図５】図１〜図４Ｂの通信システムおよびネットワークのコンテキストにおいて図３Ａおよび図３Ｂのフェムトプロキシシステムとともに使用するモバイルアクセス端末の一例のブロック図。
【図６Ａ】フェムトプロキシモジュールと統合されたフェムトセルを有するフェムトプロキシシステムを使用してアクティブなハンドインを可能にするための通信システムの簡略ネットワーク図。
【図６Ｂ】サブネットをフェムトプロキシモジュールと共有するフェムトセルを有するフェムトプロキシシステムを使用してアクティブなハンドインを可能にするための通信システムの簡略ネットワーク図。
【図７Ａ】フェムトコンバージェンスシステム（ＦＣＳ：femto convergence system）を含むワイヤレス通信システムのブロック図。
【図７Ｂ】図７ＡのＦＣＳの代替構成であるＦＣＳのブロック図。
【図８Ａ】複数のフェムトプロキシシステム中に含まれる複数のフェムトアクセスポイントを有する分散フェムト展開のブロック図。
【図８Ｂ】複数のフェムトプロキシシステム中に含まれる複数のフェムトアクセスポイントを有する分散フェムト展開のブロック図。
【図８Ｃ】複数のフェムトプロキシシステム中に含まれる複数のフェムトアクセスポイントを有する分散フェムト展開のブロック図。
【図８Ｄ】複数のフェムトプロキシシステム中に含まれる複数のフェムトアクセスポイントを有する分散フェムト展開のブロック図。
【図９】照会モード帯域外近接検出を使用してターゲットのフェムトアクセスポイントへのアクセス端末のアクティブなハンドインを可能にするための例示的な方法の流れ図。
【図１０】図９の方法の一部の例示的な実装形態を示すコールフロー図。
【図１１】図９の方法の一部の別の例を示すコールフロー図。
【図１２】ハンドインのために移動局を登録するプロセスを示す図。
【図１３】リアクティブ手法(reactive approach)による移動局ハンドオフのプロセスを示す図。
【図１４】代替リアクティブ手法による移動局ハンドオフのプロセスを示す図。
【発明を実施するための形態】
【００２６】
モバイルアクセス端末のためのアクティブなマクロ通信のマクロセルフェムトセル間ハンドインをサポートするための技法について説明する。フェムトプロキシシステムが、フェムトプロキシシステムの一部として帯域外（ＯＯＢ）無線を使用してＯＯＢチャネルを介してブロードキャスト技法（たとえば、Ｂｌｕｅｔｏｏｔｈ照会）を使用して、フェムトプロキシシステムに近接したアクセス端末を検出する。それに近接したアクセス端末を検出すると、フェムトプロキシシステムは、アクセス端末を、マクロネットワークと通信しているコアネットワーク要素（たとえば、フェムトコンバージェンスシステムまたは他のタイプのインターフェースゲートウェイ）に事前登録するためにＯＯＢプレゼンスインジケータを通信する。フェムトコンバージェンスシステムが、マクロネットワークから事前登録されたアクセス端末を示唆するハンドオフ要求を受信したとき、フェムトコンバージェンスシステムは、ＯＯＢプレゼンスインジケーションに従ってハンドインのために使用すべき適切なフェムトセルを確実に判断することが可能である。
【００２７】
本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の団体からの文書に記載されている。本明細書で説明する技法は、上記のシステムおよび無線技術、ならびに他のシステムおよび無線技術に使用され得る。
【００２８】
したがって、以下の説明は、例を与えるものであり、特許請求の範囲において記載される範囲、適用性、または構成を限定するものではない。本開示の趣旨および範囲から逸脱することなく、説明する要素の機能および構成において変更が行われ得る。様々な例は、適宜に様々なプロシージャまたは構成要素を省略、置換、または追加し得る。たとえば、説明する方法のうちの１つまたは複数は、説明する順序とは異なる順序で実行され得、様々な動作が追加、省略、または組み合わせられ得る。また、いくつかの例に関して説明する特徴は、他の例において組み合わせられ得る。
【００２９】
最初に図１を参照すると、ブロック図に、ワイヤレス通信システム１００の一例が示されている。システム１００は、セル１１０中に配設された送受信基地局（ＢＴＳ）１０５と、モバイルアクセス端末１１５（ＡＴ）と、基地局コントローラ（ＢＳＣ）１２０とを含む。アクセス端末（ＡＴ）、移動局（ＭＳ）などのような用語は、本明細書では互換的に使用され得、特定のネットワークトポロジーまたは実装形態を暗示しない。たとえば、「ＡＴ」という用語は、一般に回線交換（たとえば、ＣＤＭＡ  １Ｘ）ネットワークに対して使用され得、「ＭＳ」という用語は、一般にパケットデータサービス（たとえば、ＥＶ−ＤＯ、ＨＲＰＤ）ネットワークに対して使用され得るが、本明細書で説明する技法は、これらまたは他のネットワークのいずれかのコンテキストにおいて適用され得る。
【００３０】
システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、ＳＣ−ＦＤＭＡ信号などであり得る。各被変調信号は、異なるキャリア上で送られ得、パイロット、オーバーヘッド情報、データなどを搬送し得る。システム１００は、ネットワークリソースを効率的に割り振ることが可能なマルチキャリアＬＴＥネットワークであり得る。
【００３１】
ＢＴＳ１０５は、基地局アンテナを介してＡＴ１１５とワイヤレス通信することができる。ＢＴＳ１０５は、複数のキャリアを介してＢＳＣ１２０の制御下でＡＴ１１５と通信するように構成される。ＢＴＳ１０５の各々は、それぞれの地理的エリア、ここでは、セル１１０−ａ、１１０−ｂ、または１１０−ｃに通信カバレージを与えることができる。システム１００は、異なるタイプのＢＴＳ１０５、たとえば、マクロ基地局、ピコ基地局、および／またはフェムト基地局を含み得る。
【００３２】
ＡＴ１１５は、セル１１０全体に分散され得る。ＡＴ１１５は、移動局、モバイルデバイス、ユーザ機器（ＵＥ）、または加入者ユニットと呼ばれることがある。ここで、ＡＴ１１５は、セルラーフォンおよびワイヤレス通信デバイスを含むが、携帯情報端末（ＰＤＡ）、他のハンドヘルドデバイス、ネットブック、ノートブックコンピュータなどをも含むことができる。
【００３３】
以下の説明のために、ＡＴ１１５は、複数の「マクロ」ＢＴＳ１０５によって可能にされるマクロネットワークまたは同様のネットワーク上で動作する（そのネットワークに「キャンプ」オンしている）。各マクロＢＴＳ１０５は、比較的大きい地理的エリア（たとえば、半径数キロメートル）をカバーし得、サービスに加入している端末による無制限のアクセスを可能にし得る。ＡＴ１１５はまた、「フェムト」または「ホーム」ＢＴＳ１０５によって可能にされる少なくとも１つのフェムトネットワーク上で動作するように登録される。マクロＢＴＳ１０５は、一般に（たとえば、図１に示す例示的な六角形セル１１０を生じる）ネットワークプランニングに従って展開され得るが、フェムトＢＴＳ１０５は、一般に個々のユーザ（またはユーザ代表）によって展開されて、局地フェムトセル（localized femtocell）を作り出し得ることを諒解されよう。局地フェムトセルは、一般にマクロネットワークプランニングアーキテクチャ（たとえば、六角形セル）に従わないが、それは、様々なマクロレベルネットワークプランニングおよび／または管理決定の一部（たとえば、負荷分散など）として考慮され得る。
【００３４】
ＡＴ１１５は、概して、高度モバイル動作を容易にするために、小さいバッテリーなど、内部電源を使用して動作し得る。フェムトセルなど、ネットワークデバイスの戦略的展開は、モバイルデバイス電力消費をある程度まで緩和することができる。たとえば、フェムトセルは、（たとえば、容量制限、帯域幅制限、信号フェージング、信号シャドーイングなどのために）場合によっては十分なサービスまたはいかなるサービスをも経験しないことがあるエリア内でサービスを提供するために利用され得、それにより、クライアントデバイスが探索時間を低減し、送信電力を低減し、送信時間を低減することなどが可能になる。フェムトセルは、（たとえば、家屋または建築物内の）比較的小さいサービスエリア内でサービスを提供する。したがって、クライアントデバイスは、一般に、サービスされているとき、フェムトセルの近くに配設され、クライアントデバイスが低減された送信電力を用いて通信することをしばしば可能にする。
【００３５】
たとえば、フェムトセルは、レジデンス、オフィスビルなどのユーザ構内中にあるフェムトアクセスポイント（ＦＡＰ）として実装される。そのロケーションは、最大カバレージを求めて（たとえば、中央ロケーションに）、全地球測位衛星（ＧＰＳ）信号へのアクセスを可能にするように（たとえば、窓の近くに）、および／または他の有用なロケーションに、選定され得る。明快のために、本明細書の開示では、ＡＴ１１５のセットが、実質的にユーザ構内全体にわたってカバレージを与える単一のＦＡＰに（たとえば、その単一のＦＡＰのホワイトリスト上に）登録されると仮定する。「ホーム」ＦＡＰは、マクロネットワーク上での通信サービスへのアクセスをＡＴ１１５に提供する。本明細書で使用するマクロネットワークは、ワイヤレスワイドエリアネットワーク（ＷＷＡＮ）であると仮定する。したがって、「マクロネットワーク」と「ＷＷＡＮネットワーク」のような用語は交換可能である。同様の技法は、本開示または特許請求の範囲の範囲から逸脱することなく他のタイプのネットワーク環境に適用され得る。
【００３６】
例示的な構成では、ＦＡＰは、フェムトプロキシシステムとして１つまたは複数の帯域外（ＯＯＢ）プロキシと統合される。本明細書で使用する「帯域外」または「ＯＯＢ」は、ＷＷＡＮリンクに対して帯域外である任意のタイプの通信を含む。たとえば、ＯＯＢプロキシおよび／またはＡＴ１１５は、Ｂｌｕｅｔｏｏｔｈ（たとえば、クラス１、クラス１．５、および／またはクラス２）、Ｂｌｕｅｔｏｏｔｈ  Ｌｏｗ  Ｅｎｅｒｇｙ（ＢＬＥ）、（たとえば、ＩＥＥＥ８０２．１５．４−２００３ワイヤレス規格に従う）ＺｉｇＢｅｅ、ＷｉＦｉ、および／またはマクロネットワーク帯域外の他の有用なタイプの通信を使用して動作するように構成され得る。ＦＡＰとのＯＯＢの統合は、たとえば、低減された干渉、低電力のフェムト発見などを含む、いくつかの特徴を与え得る。
【００３７】
さらに、ＯＯＢ機能とＦＡＰとの統合は、ＦＡＰに接続されたＡＴ１１５がＯＯＢピコネットの一部になることも可能にし得る。ピコネットは、ＡＴ１１５に対して、拡張されたＦＡＰ機能、他の通信サービス、電力管理機能、および／または他の特徴を可能にし得る。これらおよび他の特徴は、以下の説明からさらに諒解されよう。
【００３８】
図２Ａに、フェムトプロキシシステム（ＦＰＳ）２９０ａを含むワイヤレス通信システム２００ａのブロック図を示す。フェムトプロキシシステム２９０ａは、フェムトプロキシモジュール２４０ａと、ＦＡＰ２３０ａと、通信管理サブシステム２５０とを含む。図１に関して説明したように、ＦＡＰ２３０ａはフェムトＢＴＳ１０５であり得る。フェムトプロキシシステム２９０ａはまた、アンテナ２０５と、トランシーバモジュール２１０と、メモリ２１５と、プロセッサモジュール２２５とを含み、その各々は、（たとえば、１つまたは複数のバスを介して）互いと直接または間接的に通信していることがある。トランシーバモジュール２１０は、アンテナ２０５を介してＡＴ１１５と双方向に通信するように構成される。トランシーバモジュール２１０（および／またはフェムトプロキシシステム２９０ａの他の構成要素）はまた、マクロ通信ネットワーク１００ａ（たとえば、ＷＷＡＮ）と双方向に通信するように構成される。たとえば、トランシーバモジュール２１０は、バックホールネットワークを介してマクロ通信ネットワーク１００ａと通信するように構成される。マクロ通信ネットワーク１００ａは図１の通信システム１００であり得る。
【００３９】
メモリ２１５は、ランダムアクセスメモリ（ＲＡＭ）および読取り専用メモリ（ＲＯＭ）を含み得る。いくつかの実施形態では、メモリ２１５は、ＡＴマッピング２１９を記憶するように構成されたデータストア２１７を含む（またはデータストア２１７と通信している）。以下でより十分に説明するように、これらのＡＴマッピング２１９は、あるＦＡＰ支援ハンドイン機能を可能にするために使用される。一般に、ＡＴマッピング２１９は、ＡＴ識別子（たとえば、ＡＴ１１５のＳＩＭカードに関連する国際モバイル加入者識別情報（ＩＭＳＩ））をＡＴ１１５のＯＯＢ無線に対応するＯＯＢ識別子（たとえば、ＡＴ１１５のＢｌｕｅｔｏｏｔｈアドレス）とマッピングする。いくつかの実施形態では、たとえば、パブリックロングコードマスクを含めて、さらなるマッピングがＡＴマッピング２１９によってＡＴ１１５ごとに維持される。
【００４０】
メモリ２１５はまた、実行されるとプロセッサモジュール２２５に本明細書で説明する様々な機能（たとえば、呼処理、データベース管理、メッセージルーティングなど）を実行させるように構成された命令を含んでいるコンピュータ可読、コンピュータ実行可能ソフトウェアコード２２０を記憶し得る。代替的に、ソフトウェア２２０は、プロセッサモジュール２２５によって直接的に実行可能でないことがあるが、たとえば、コンパイルされ実行されると、コンピュータに本明細書で説明する機能を実行させるように構成され得る。
【００４１】
プロセッサモジュール２２５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール２２５は、マイクロフォンを介してオーディオを受信し、そのオーディオを、受信したオーディオを表す（たとえば、長さ３０ｍｓの）パケットに変換し、そのオーディオパケットをトランシーバモジュール２１０に供給し、ユーザが話しているかどうかの指示を与えるように構成された音声エンコーダ（図示せず）を含み得る。代替的に、エンコーダはパケットのみをトランシーバモジュール２１０に供給し、パケット自体の供給または抑制／抑圧が、ユーザが話しているかどうかの指示を与え得る。
【００４２】
トランシーバモジュール２１０は、パケットを変調し、変調されたパケットを送信のためにアンテナ２０５に供給し、アンテナ２０５から受信されたパケットを復調するように構成されたモデムを含み得る。フェムトプロキシシステム２９０ａのいくつかの例は単一のアンテナ２０５を含み得るが、フェムトプロキシシステム２９０ａは、好ましくは複数のリンクのための複数のアンテナ２０５を含む。たとえば、ＡＴ１１５とのマクロ通信をサポートするために１つまたは複数のリンクが使用され得る。また、１つまたは複数の帯域外リンクが同じアンテナ２０５または異なるアンテナ２０５によってサポートされ得る。
【００４３】
フェムトプロキシシステム２９０ａは、ＦＡＰ２３０ａとフェムトプロキシモジュール２４０ａの両方の機能を与えるように構成される。たとえば、ＡＴ１１５がフェムトセルカバレージエリアに接近すると、ＡＴ１１５のＯＯＢ無線はＯＯＢフェムトプロキシモジュール２４０ａの探索を開始し得る。発見されると、ＡＴ１１５は、それがフェムトセルカバレージエリアに近接しているという高いレベルの確信を有し得、ＦＡＰ２３０ａの走査が開始し得る。
【００４４】
ＦＡＰ２３０ａの走査は異なる方法で実装され得る。たとえば、ＡＴ１１５のＯＯＢ無線によるフェムトプロキシモジュール２４０ａの発見のために、ＡＴ１１５とフェムトプロキシシステム２９０ａの両方は互いの近接を認識していることがある。ＡＴ１１５はＦＡＰ２３０ａを走査する。代替的に、ＦＡＰ２３０ａは、（たとえば、個々に、またはすべての登録されたＡＴ１１５のラウンドロビンポーリング(round-robin polling)の一部として）ＡＴ１１５についてポーリングし、ＡＴ１１５はポールをリッスン(listen)する。ＦＡＰ２３０ａの走査が成功すると、ＡＴ１１５はＦＡＰ２３０ａに接続し得る。
【００４５】
ＡＴ１１５がフェムトセルカバレージエリア中にあり、ＦＡＰ２３０ａに接続されているとき、ＡＴ１１５は、ＦＡＰ２３０ａを介してマクロ通信ネットワーク１００ａと通信していることがある。上記で説明したように、ＡＴ１１５はまた、フェムトプロキシモジュール２４０ａがマスタとして働くピコネットのスレーブであり得る。たとえば、ピコネットは、Ｂｌｕｅｔｏｏｔｈを使用して動作し得、ＦＡＰ２３０ａ中の（たとえば、トランシーバモジュール２１０の一部として実装される）Ｂｌｕｅｔｏｏｔｈ無線によって可能にされるＢｌｕｅｔｏｏｔｈ通信リンクを含み得る。
【００４６】
ＦＡＰ２３０ａの例は、基地局またはワイヤレスアクセスポイント機器の様々な構成を有する。本明細書で使用するＦＡＰ２３０ａは、様々な端末（たとえば、クライアントデバイス（ＡＴ１１５など）、近接エージェントデバイスなど）と通信するデバイスであり得、基地局、ノードＢ、および／または他の同様のデバイスと呼ばれることもあり、それらの機能の一部または全部を含み得る。本明細書ではＦＡＰ２３０ａと呼ぶが、本明細書でのその概念は、フェムトセル構成以外のアクセスポイント構成（たとえば、ピコセル、マイクロセルなど）に適用可能である。ＦＡＰ２３０ａの例は、ＦＡＰ２３０ａに関連するフェムトセルカバレージエリア内での通信を可能にするために（たとえば、エリアのカバレージの改善を与えるために、容量の増加を与えるために、帯域幅の増加を与えるためになど）対応するセルラーネットワーク（たとえば、マクロ通信ネットワーク１００ａ、またはその一部分）に対してネイティブな通信周波数およびプロトコルを利用する。
【００４７】
ＦＡＰ２３０ａは、図２Ａに明示的に示されていない他のインターフェースと通信していることがある。たとえば、ＦＡＰ２３０ａは、ネイティブセルラーワイヤレスリンク（たとえば、「帯域内」通信リンク）を介して、ＡＴ１１５など、様々な適宜に構成されたデバイスと通信するためのトランシーバモジュール２１０の一部としてのネイティブセルラーインターフェース（たとえば、動作中に比較的大きい電力量を消費し得るセルラーネットワーク通信技法を利用する特殊なトランシーバ）と通信していることがある。そのような通信インターフェースは、限定はしないが、広帯域符号分割多元接続（Ｗ−ＣＤＭＡ）、ＣＤＭＡ２０００、ｇｌｏｂａｌ  ｓｙｓｔｅｍ  ｆｏｒ  ｍｏｂｉｌｅ  ｔｅｌｅｃｏｍｍｕｎｉｃａｔｉｏｎ（ＧＳＭ）、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭａｘ）、およびワイヤレスＬＡＮ（ＷＬＡＮ）を含む、様々な通信規格に従って動作し得る。同じくまたは代替的に、ＦＡＰ２３０ａは、様々なデバイスまたは他のネットワークと通信するためのトランシーバモジュール２１０の一部としての１つまたは複数のバックエンドネットワークインターフェース（たとえば、インターネット、パケット交換ネットワーク、交換ネットワーク、無線ネットワーク、制御ネットワーク、ワイヤードリンクなどを介して通信を行うバックホールインターフェース）と通信していることがある。
【００４８】
上記で説明したように、ＦＡＰ２３０ａはさらに、トランシーバモジュール２１０および／またはフェムトプロキシモジュール２４０ａの一部としての１つまたは複数のＯＯＢインターフェースと通信していることがある。たとえば、ＯＯＢインターフェースは、動作中に比較的低い電力量を消費し、および／または帯域内トランシーバに対して帯域内スペクトル中に生じる干渉が小さくなり得る、トランシーバを含み得る。そのようなＯＯＢインターフェースは、ＡＴ１１５のＯＯＢ無線など、様々な適宜に構成されたデバイスに対して低電力ワイヤレス通信を行うための実施形態に従って利用され得る。ＯＯＢインターフェースは、たとえば、Ｂｌｕｅｔｏｏｔｈリンク、超広帯域（ＵＷＢ）リンク、ＩＥＥＥ８０２．１１（ＷＬＡＮ）リンクなどを与え得る。
【００４９】
本明細書で使用する「高電力」と「低電力」という用語は相対語であり、特定のレベルの電力消費を暗示しない。したがって、ＯＯＢデバイス（たとえば、ＯＯＢフェムトプロキシモジュール２４０ａ）は、所与の動作時間の間、（たとえば、マクロＷＷＡＮ通信のための）ネイティブセルラーインターフェースよりも少ない電力を消費するにすぎないことがある。いくつかの実装形態では、ＯＯＢインターフェースはまた、マクロ通信インターフェースと比較して、比較的より低い帯域幅の通信、比較的より短い距離の通信を行い、および／または比較的より低い電力を消費する。ＯＯＢデバイスおよびインターフェースが低電力、短距離、および／または低帯域幅であるという制限はない。デバイスは、ＩＥＥＥ８０２．１１、Ｂｌｕｅｔｏｏｔｈ、ＰＥＡＮＵＴ、ＵＷＢ、ＺｉｇＢｅｅ、ＩＰトンネル、ワイヤードリンクなど、ワイヤレスまたはそれ以外にかかわらず、任意の好適な帯域外リンクを使用し得る。その上、デバイスは、仮想ＯＯＢリンクとして働くワイヤレスワイドエリアネットワーク（ＷＷＡＮ）リンク上のＩＰベースの機構（たとえば、ＷＷＡＮリンク上のＩＰトンネル）の使用などによって、仮想ＯＯＢリンクを利用し得る。
【００５０】
フェムトプロキシモジュール２４０ａは、様々なタイプのＯＯＢ機能を与え得、様々な方法で実装され得る。フェムトプロキシモジュール２４０ａは、スタンドアロンプロセッサベースシステム、ホストデバイスと統合されたプロセッサベースシステム（たとえば、アクセスポイント、ゲートウェイ、ルータ、スイッチ、リピータ、ハブ、コンセントレータなど）など、様々な構成のいずれかを有し得る。たとえば、フェムトプロキシモジュール２４０ａは、様々なタイプの通信を可能にするための様々なタイプのインターフェースを含み得る。
【００５１】
いくつかのフェムトプロキシモジュール２４０ａは、本明細書ではワイヤレスリンクを介して干渉緩和および／またはフェムトセル選択を行うために、他の適宜に構成されたデバイス（たとえば、ＡＴ１１５）と通信するためのトランシーバモジュール２１０の一部としての１つまたは複数のＯＯＢインターフェース（たとえば、動作中に比較的低い電力量を消費し得、および／または帯域内スペクトル中よりも生じる干渉が少なくなり得るトランシーバ）を含む。好適な通信インターフェースの一例は、時分割複信（ＴＤＤ）方式を使用するＢｌｕｅｔｏｏｔｈ対応トランシーバである。
【００５２】
フェムトプロキシモジュール２４０ａはまた、様々なデバイスまたはネットワークと通信するためのトランシーバモジュール２１０の一部としての１つまたは複数のバックエンドネットワークインターフェース（たとえば、パケット交換ネットワークインターフェース、交換ネットワークインターフェース、無線ネットワークインターフェース、制御ネットワークインターフェース、ワイヤードリンクなど）を含み得る。ＦＡＰ２３０ａなどとともに、ホストデバイス内に統合されたフェムトプロキシモジュール２４０ａは、所望される場合、フェムトプロキシモジュール２４０ａと他のデバイスとの間の通信を行うために、バックエンドネットワークインターフェースの代替として内部バスまたは他のそのような通信インターフェースを利用し得る。追加または代替として、フェムトプロキシモジュール２４０ａとＦＡＰ２３０ａと／または他のデバイスもしくはネットワークとの間の通信を行うために、ＯＯＢインターフェース、ネイティブセルラーインターフェース、イーサネット接続など、１つまたは複数の他のインターフェースが利用され得る。フェムトプロキシモジュール２４０ａとＦＡＰ２３０ａとに関してここで説明する接続性は、以下で説明するフェムトプロキシモジュール２４０ｂとＦＡＰ２３０ｂとにも適用される。
【００５３】
（たとえば、ＦＡＰ２３０ａおよび／またはフェムトプロキシモジュール２４０ａの通信機能を含む）様々な通信機能は、通信管理サブシステム２５０を使用して管理され得る。たとえば、通信管理サブシステム２５０は、マクロ（たとえば、ＷＷＡＮ）ネットワーク、１つまたは複数のＯＯＢネットワーク（たとえば、ピコネット、ＡＴ１１５のＯＯＢ無線、他のフェムトプロキシ、ＯＯＢビーコンなど）、１つまたは複数の他のフェムトセル（たとえば、ＦＡＰ２３０）、ＡＴ１１５などとの通信を少なくとも部分的に処理し得る。たとえば、通信管理サブシステム２５０は、バスを介してフェムトプロキシシステム２９０ａの他の構成要素の一部または全部と通信しているフェムトプロキシシステム２９０ａの構成要素であり得る。
【００５４】
図２Ａによって示されるアーキテクチャ以外の様々な他のアーキテクチャが可能である。ＦＡＰ２３０ａとフェムトプロキシモジュール２４０ａは、連結されること、単一のデバイス中に統合されること、構成要素を共有するように構成されることなどが行われることも行われないこともある。たとえば、図２Ａのフェムトプロキシシステム２９０ａは、アンテナ２０５とトランシーバモジュール２１０とメモリ２１５とプロセッサモジュール２２５とを含む、構成要素を少なくとも部分的に共有する統合されたＦＡＰ２３０ａとフェムトプロキシモジュール２４０ａとを有する。
【００５５】
図２Ｂに、図２Ａに示したアーキテクチャとは異なるフェムトプロキシシステム（ＦＰＳ）２９０ｂのアーキテクチャを含むワイヤレス通信システム２００ｂのブロック図を示す。フェムトプロキシシステム２９０ａと同様に、フェムトプロキシシステム２９０ｂは、フェムトプロキシモジュール２４０ｂとＦＡＰ２３０ｂとを含む。ただし、システム２９０ａとは異なり、フェムトプロキシモジュール２４０ｂおよびＦＡＰ２３０ｂの各々は、それ自体のアンテナ２０５と、トランシーバモジュール２１０と、メモリ２１５と、プロセッサモジュール２２５とを有する。両方のトランシーバモジュール２１０は、それらのそれぞれのアンテナ２０５を介してＡＴ１１５と双方向に通信するように構成される。（たとえば、一般にバックホールネットワークを介して）マクロ通信ネットワーク１００ｂと双方向通信しているＦＡＰ２３０ｂのトランシーバモジュール２１０−１が示されている。
【００５６】
説明のために、フェムトプロキシシステム２９０ｂは、別個の通信管理サブシステム２５０なしに示されている。いくつかの構成では、通信管理サブシステム２５０がフェムトプロキシモジュール２４０ｂとＦＡＰ２３０ｂの両方に設けられる。他の構成では、通信管理サブシステム２５０はフェムトプロキシモジュール２４０ｂの一部として実装される。さらに他の構成では、通信管理サブシステム２５０の機能は、フェムトプロキシモジュール２４０ｂとＦＡＰ２３０ｂの一方または両方の（たとえば、メモリ２１５−１中のソフトウェア２２０−１として記憶される）コンピュータプログラム製品として実装される。
【００５７】
さらに他の構成では、通信管理サブシステム２５０の機能の一部または全部はプロセッサモジュール２２５の構成要素として実装される。図３に、通信管理サブシステム２５０の機能を実装するためのプロセッサモジュール２２５ａのブロック図３００を示す。プロセッサモジュール２２５ａは、ＷＷＡＮ通信コントローラ３１０とアクセス端末コントローラ３２０とを含む。プロセッサモジュール２２５ａは、（たとえば、図２Ａおよび図２Ｂに示したように）ＦＡＰ２３０およびフェムトプロキシモジュール２４０と通信している。ＷＷＡＮ通信コントローラ３１０は、指定されたＡＴ１１５のためのＷＷＡＮ通信（たとえば、ページ）を受信するように構成される。アクセス端末コントローラ３２０は、ＦＡＰ２３０および／またはフェムトプロキシモジュール２４０の動作に影響を及ぼすことを含めて、通信をどのように処理すべきかを判断する。
【００５８】
図２ＡのＦＡＰ２３０ａと図２ＢのＦＡＰ２３０ｂの両方は、マクロ通信ネットワーク１００ａのみに通信リンクを与えるものとして示されている。しかしながら、ＦＡＰ２３０は、多くの様々なタイプのネットワークおよび／またはトポロジーを介して通信機能を与え得る。たとえば、ＦＡＰ２３０は、セルラー電話網、セルラーデータネットワーク、ローカルエリアネットワーク（ＬＡＮ）、メトロポリタンエリアネットワーク（ＭＡＮ）、ワイドエリアネットワーク（ＷＡＮ）、公衆交換電話網（ＰＳＴＮ）、インターネットなどのためのワイヤレスインターフェースを与え得る。
【００５９】
図４Ａおよび図４Ｂに、様々なサービスを提供するための通信ネットワークにおけるフェムトセルアーキテクチャに関してさらなる詳細を示す。詳細には、図４Ａに、レガシー回線サービスのための例示的なフェムトセルアーキテクチャに関する詳細を示す。たとえば、図４ＡのネットワークはＣＤＭＡ  １Ｘ回線交換サービスネットワークであり得る。図４Ｂに、レガシーインターフェースを使用するパケットデータサービスアクセスのための例示的なフェムトセルアーキテクチャに関する詳細を示す。たとえば、図４Ｂのネットワークは１ｘ  ＥＶ−ＤＯ（ＨＲＰＤ）パケットデータサービスネットワークであり得る。これらのアーキテクチャは、図１〜図３に示した通信システムおよびネットワークの考えられる部分を示している。
【００６０】
上記で説明したように、フェムトプロキシシステム２９０は、ＡＴ１１５を含むクライアントデバイスと通信するように構成される。図５に、図１〜図４Ｂの通信システムおよびネットワークのコンテキストにおいて図２Ａおよび図２Ｂのフェムトプロキシシステム２９０とともに使用するモバイルアクセス端末（ＡＴ）１１５ａのブロック図５００を示す。ＡＴ１１５ａは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。明快のために、ＡＴ１１５ａは、モバイル動作を可能にするために、小さいバッテリーなど、内部電源（図示せず）を有するモバイル構成で与えられると仮定する。
【００６１】
ＡＴ１１５ａは、アンテナ５０５と、トランシーバモジュール５１０と、メモリ５１５と、プロセッサモジュール５２５とを含み、その各々は、（たとえば、１つまたは複数のバスを介して）互いと直接または間接的に通信していることがある。トランシーバモジュール５１０は、上記で説明したように、アンテナ５０５ならびに／あるいは１つまたは複数のワイヤードもしくはワイヤレスリンクを介して、１つまたは複数のネットワークと双方向に通信するように構成される。たとえば、トランシーバモジュール５１０は、マクロ通信ネットワーク（たとえば、図１の通信システム１００）のＢＴＳ１０５と、また、特に、少なくとも１つのＦＡＰ２３０と双方向に通信するように構成される。
【００６２】
上記で説明したように、トランシーバモジュール５１０は、１つまたは複数のＯＯＢリンクを介してさらに通信するように構成され得る。たとえば、トランシーバモジュール５１０は、ＦＡＰ２３０への帯域内（たとえば、マクロ）リンクと、フェムトプロキシモジュール２４０への少なくとも１つのＯＯＢリンクの両方を介して（たとえば、図２Ａおよび図２Ｂを参照しながら説明したように）フェムトプロキシシステム２９０と通信する。トランシーバモジュール５１０は、パケットを変調し、変調されたパケットを送信のためにアンテナ５０５に供給し、アンテナ５０５から受信されたパケットを復調するように構成されたモデムを含み得る。ＡＴ１１５ａは単一のアンテナ５０５を含み得るが、ＡＴ１１５ａは、一般に、複数のリンクのための複数のアンテナ５０５を含む。
【００６３】
メモリ５１５は、ランダムアクセスメモリ（ＲＡＭ）および読取り専用メモリ（ＲＯＭ）を含み得る。メモリ５１５は、実行されるとプロセッサモジュール５２５に本明細書で説明する様々な機能（たとえば、呼処理、データベース管理、メッセージルーティングなど）を実行させるように構成された命令を含んでいるコンピュータ可読、コンピュータ実行可能ソフトウェアコード５２０を記憶し得る。代替的に、ソフトウェア５２０は、プロセッサモジュール５２５によって直接的に実行可能でないことがあるが、たとえば、コンパイルされ実行されると、コンピュータに本明細書で説明する機能を実行させるように構成され得る。
【００６４】
プロセッサモジュール５２５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール５２５は、マイクロフォンを介してオーディオを受信し、そのオーディオを、受信したオーディオを表す（たとえば、長さ３０ｍｓの）パケットに変換し、そのオーディオパケットをトランシーバモジュール５１０に供給し、ユーザが話しているかどうかの指示を与えるように構成された音声エンコーダ（図示せず）を含み得る。代替的に、エンコーダはパケットのみをトランシーバモジュール５１０に供給し、パケット自体の供給または抑制／抑圧が、ユーザが話しているかどうかの指示を与え得る。
【００６５】
図５のアーキテクチャによれば、ＡＴ１１５ａは通信管理サブシステム５４０をさらに含む。通信管理サブシステム５４０は、マクロ（たとえば、ＷＷＡＮ）ネットワーク、１つまたは複数のＯＯＢネットワーク（たとえば、ピコネット、フェムトプロキシモジュール２４０など）、１つまたは複数のフェムトセル（たとえば、ＦＡＰ２３０）、（たとえば、２次ピコネットのマスタとして働く）他のＡＴ１１５などとの通信を管理し得る。たとえば、通信管理サブシステム５４０は、バスを介してＡＴ１１５ａの他の構成要素の一部または全部と通信しているＡＴ１１５ａの構成要素であり得る。代替的に、通信管理サブシステム５４０の機能は、トランシーバモジュール５１０の構成要素として、コンピュータプログラム製品として、ならびに／あるいはプロセッサモジュール５２５の１つまたは複数のコントローラ要素として実装される。
【００６６】
ＡＴ１１５ａは、マクロ（たとえば、セルラー）ネットワークと、１つまたは複数のＯＯＢネットワーク（たとえば、フェムトプロキシモジュール２４０リンク）の両方とインターフェースするための通信機能を含む。たとえば、いくつかのＡＴ１１５は、ネイティブセルラーワイヤレスリンクを介して他の適宜に構成されたデバイスと通信するための（たとえば、ＦＡＰ２３０を介したマクロ通信ネットワークとのリンクを確立するための）トランシーバモジュール５１０または通信管理サブシステム５４０の一部としてのネイティブセルラーインターフェース（たとえば、動作中に比較的大きい電力量を消費するセルラーネットワーク通信技法を利用するトランシーバ）を含む。ネイティブセルラーインターフェースは、限定はしないが、Ｗ−ＣＤＭＡ、ＣＤＭＡ２０００、ＧＳＭ、ＷｉＭａｘ、およびＷＬＡＮを含む１つまたは複数の通信規格に従って動作し得る。
【００６７】
さらに、ＡＴ１１５は、ワイヤレスリンクを介して他の適宜に構成されたデバイスと通信するためのトランシーバモジュール５１０および／または通信管理サブシステム５４０の一部として実装されたＯＯＢインターフェース（たとえば、動作中に比較的低い電力量を消費し得、および／または帯域内スペクトル中よりも生じる干渉が少なくなり得るトランシーバ）をも含み得る。好適なＯＯＢ通信インターフェースの一例は、時分割複信（ＴＤＤ）方式を使用するＢｌｕｅｔｏｏｔｈ対応トランシーバである。
【００６８】
アクティブなハンドイン実施形態
多くの場合、アクティブユーザ（アクティブＡＴ１１５）にシームレスなボイスおよびデータサービスを提供するために、ハンドオフを使用して、マクロセル（たとえば、図１のマクロＢＴＳ１０５）からＦＡＰ２３０へのアクティブなハンドイン、および／またはＦＡＰ２３０からマクロＢＴＳ１０５へのアクティブなハンドアウトをサポートすることが望ましい。アクティブなハンドアウトは、比較的実装するのが簡単であり、レガシーマクロネットワーク１００およびＡＴ１１５を持つたいていの事業者によってサポートされる。しかしながら、アクティブなハンドインは難しく、一般に事業者によってサポートされない。
【００６９】
たとえば、ＡＴ１１５が、マクロネットワーク１００とのアクティブな通信の過程で（たとえば、ボイス呼、アクティブなデータ転送中などに）移動するとき、ハンドオフが必要である（たとえば、現在のマクロＢＴＳ１０５信号が弱くなり得る）という判断が行われ得る。ハンドオフの必要性は、アクティブなＡＴ１１５によって送られる測定報告に従って判断され得る。「測定報告」という句は、概して３ＧＰＰネットワークに関連し得るが、本明細書では、任意の同様のタイプのネットワークにおける任意の同様のタイプの測定報告を含む（たとえば、３ＧＰＰ２ネットワークでは「ＰＳＭＭ」またはパイロット強度測定値を含む）ものとする。
【００７０】
測定報告は、ＡＴ１１５によって観測されたパイロットの強度の測定値と、ターゲットセルの順方向リンクのセル識別子とを含む。セル識別子は、特定のセルを識別するためにマクロネットワーク１００によって使用される任意の識別子であり得る。たとえば、セル識別子は、３ＧＰＰ２ネットワークにおける「ＰＮオフセット」、３ＧＰＰネットワークにおける「ＰＳＣ」（プライマリスクランブリングコード）などであり得る。典型的なマクロネットワーク１００上では、マクロＢＴＳ１０５の地理的分布が与えられれば、各マクロＢＴＳ１０５が、それのセル識別子によって（たとえば、マクロネットワーク１００中の基地局コントローラ（ＢＳＣ）１２０、ネットワークのコア中のモバイル交換センター（ＭＳＣ）などによって）効果的に一意に識別され得ることを実質的に保証するのに十分なセル識別子（たとえば、ＰＮオフセット）が利用可能である。
【００７１】
マクロＢＴＳ１０５は、マクロネットワーク１００によって効果的に一意に識別され得るが、一般に、ネットワークに追加されるすべてのＦＡＰ２３０を一意に識別するのに十分な残っているセル識別子がない。たとえば、典型的なマクロネットワーク１００は、それのネットワーク中のすべてのセルに割り当てるのに利用可能な５１２個のＰＮオフセット値を有し得る。ＰＮオフセットは、混乱なしに効果的に識別され得るセルの数を拡張するために異なるキャリア上で、異なる地理的領域中などで再利用され得る。しかしながら、ＰＮオフセット値の小部分のみ（すなわち、マクロＢＴＳ１０５が使用する、予約された値以外）が、ＦＡＰ２３０が使用するのに利用可能であり得、ＦＡＰの数および密度は一部のエリア中で比較的大きくなり得る。たとえば、場合によってはマクロセクタ当たり数百個のＦＡＰ２３０の間で少数のＰＮオフセット値のみが再利用されなければならない。
【００７２】
アクティブＡＴ１１５についてマクロＢＴＳ１０５へのハンドオフが（別のマクロＢＴＳ１０５からのハンドオフとして、またはＦＡＰ２３０からのハンドアウトとして）必要とされたとき、測定報告中で与えられたセル識別子は、ハンドオフのための適切なマクロＢＴＳ１０５を確実に判断するのに十分であり得る。アクティブな通信は、あいまいさなしに正しいターゲットセルにハンドオフされ得る。しかしながら、アクティブなＡＴ１１５についてＦＡＰ２３０へのハンドオフが（マクロＢＴＳ１０５からのハンドインとして）必要とされたとき、測定報告中で与えられた同じセル識別子は、同じマクロセクタ中の複数のＦＡＰ２３０によって共有され得る。したがって、すべての場合においてハンドインのための適切なＦＡＰ２３０を確実に判断するのにセル識別子のみでは不十分なことがある。たとえば、ＡＴ１１５はそれのホームＦＡＰ２３０の近くにあり得、そのホームＦＡＰ２３０にハンドインすることが望ましいことがあるが、マクロセクタ中の別のＦＡＰ２３０が同じセル識別子に関連することがある。
【００７３】
いくつかのより新しいネットワークでは、この問題を緩和または解決し得る追加の識別子が利用可能である。たとえば、ＣＤＭＡ２０００ネットワークでは、セルは、アクセスポイント識別メッセージ（ＡＰＩＤＭ：access point identification message）、ロケーション情報、および／または特定のＦＡＰ２３０の識別をそれの（１つまたは複数の）セル識別子のみに基づいてより一意の信頼できるものにし得る他の情報をブロードキャストするようにアップグレードされる。アップグレードされたＡＴ１１５は、たとえば、近隣セルのＡＰＩＤＭメッセージを復号し、アクティブ通信中に測定報告中で識別子を報告することによって、（１つまたは複数の）新しいセル識別子を活用することができる。その場合、コントローラ（たとえば、マクロＢＳＣ１２０およびＭＳＣ）は、ターゲットＦＡＰ２３０を（たとえば、ＦＣＳに対して）一意に識別するために、ハンドオフメッセージ中にＡＰＩＤＭを含めることができる。この技法は、アップグレードされたネットワークとアップグレードされたＡＴ１１５との間の通信のためにのみ利用可能であることに留意することが重要である。エアインターフェースをアップグレードすることを希望しない事業者には、この技法は利用可能でない。
【００７４】
（レガシーＡＴ１１５と通信することを望んでいる事業者を含む）レガシーネットワークの事業者は、異なる方法でアクティブなハンドインのこの困難に対処し得る。いくつかの典型的なネットワークはアクティブなハンドインをまったくサポートしない。ハンドインがＡＴ１１５とのアクティブな通信を維持するための唯一の方法である場合、アクティブな通信が単に失われ得る（たとえば、マクロＢＴＳ１０５からの信号が失われたとき、ＡＴ１１５が場合によってはＦＡＰカバレージエリア中にあるときでも、呼がドロップされ得る）。
【００７５】
レガシーネットワークにおけるアクティブなハンドインの困難に対処するための１つの技法によれば、一部の事業者はブラインドハンドオフ(blind hand-off.)を実装する。たとえば、測定報告が、同じマクロセクタ中の複数のＦＡＰ２３０によって共有されるセル識別子を含むとき、ネットワークは、ハンドインのためのそのセル識別子を有するＦＡＰ２３０のいずれかを無条件で選択し得る。無条件な選択が適切なＦＡＰ２３０へのハンドインを生じる場合、ハンドインは成功し得る。しかしながら、無条件な選択が、不適切なＦＡＰ２３０（たとえば、ＡＴ１１５の範囲外にあるＦＡＰ２３０、ＡＴ１１５が接続することを許可されないＦＡＰ２３０など）へのハンドインを生じる場合、アクティブな通信が失われ得る。
【００７６】
別の技法に従って、事業者は、上記で説明したタイプのブラインドハンドイン(blind hand-in)を改善するために逆方向リンクの検知を使用する。逆方向リンクの検知は、ハンドインのために識別されたセル識別子を共有するＦＡＰ２３０の間での選択に関する、経験に基づく推測（educated guess）、さらには正確な判断を生じ得る。たとえば、上記で説明したように、マクロネットワーク１００とアクティブ通信しているＡＴ１１５は、測定報告（たとえば、ＭＲ、ＰＳＭＭなど）をソースマクロＢＴＳ１０５（ＡＴ１１５が現在それを介して通信しているマクロＢＴＳ１０５）に送り、測定報告は、最も強い近隣セルとしてのターゲットＦＡＰ２３０のセル識別子（たとえば、ＰＮオフセット、ＰＳＣなど）を含む。測定報告に基づいて、ソースマクロＢＴＳ１０５は、ハードハンドオフを実行することを判断する。ソースマクロＢＴＳ１０５は、（たとえば、それのソースＢＳＣ１２０を介して）ハンドオフ必要メッセージ（Handoff Required message）をそれのソースＭＳＣに送り、ソースＭＳＣは、コアネットワークメッセージングを介してＦＡＣＤＩＲ２メッセージをターゲットフェムトコンバージェンスシステム（ＦＣＳ）に送る。本明細書で使用するＦＣＳは、ＦＡＰ２３０とコアネットワークとの間のインターフェースを与えるための任意のタイプのインターフェースゲートウェイを含むものとする。コアネットワークメッセージングは、ハンドオフを開始するようにターゲットＦＣＳに指示し得る。
【００７７】
ターゲットＦＣＳが適切なターゲットＦＡＰ２３０を確実に判断することができない（すなわち、複数のＦＡＰ２３０が測定報告のセル識別子を共有する）と仮定すると、ターゲットＦＣＳは、セル識別子を共有するすべてのＦＡＰ２３０に測定要求メッセージを送る。測定要求は、ＡＴ１１５のパブリックロングコードマスク（たとえば、スクランブリングコード、ＩＭＳＩなど）を含み得る。一般に、測定要求は、シリアル化された応答を待つことを回避するために、すべての潜在的なターゲットＦＡＰ２３０に同時に送られる。このメッセージを受信すると、ＦＡＰ２３０は、ＡＴ１１５をそれのロングコードマスクによって検出し、ＡＴ１１５の逆方向リンクの信号強度を測定しようと試みる。各ＦＡＰ２３０は、少なくとも、ＡＴ１１５の逆方向リンク上で測定された信号強度を与えてターゲットＦＣＳに応答する。場合によっては、ＦＡＰ２３０は、ＡＴ１１５（たとえば、それらのそれぞれのＩＭＳＩ）がＦＡＰ２３０を介してサービスにアクセスすることを許可されるかどうかをさらに判断し、それに応じてＦＣＳに通知する。さらに、いくつかのＦＡＰ２３０は測定応答を送らないことがある。たとえば、いくつかのネットワーク構成は、ＡＴ１１５の検出が成功しなかったとき、測定結果が事業者の構成可能なしきい値を下回ったときなど、ＦＡＰ２３０が測定応答メッセージで応答することを省略することを可能にする。測定応答結果に基づいて、ターゲットＦＣＳは、適切なターゲットＦＡＰ２３０を一意に判断しようと試み、アクティブなハンドインプロセスを続ける。
【００７８】
この逆方向リンクの測定技法のいくつかの態様。一態様は、測定要求メッセージを候補ターゲットＦＡＰ２３０に送るときに、ターゲットＦＣＳが、一般に、ＦＡＰ２３０からの対応する測定応答メッセージの到着を待つためのタイマーのインスタンスを開始し得ることである。ＦＣＳがＦＡＰ２３０からの応答を待つ持続時間は、ＦＣＳと候補ターゲットＦＡＰ２３０のいずれかとの間の往復遅延を加えたいくつかのネットワーク構成要素に対する測定応答オプション中に含まれる測定応答タイマーフィールドの値を考慮できるよう十分大きくなるべきである。これはハンドインに対して望ましくない遅延を課することがあり、その遅延は、最悪の場合、ハンドインプロセスを失敗させることがある。
【００７９】
逆方向リンクの測定技法の別の態様は、各ＦＡＰ２３０が、ＡＴ１１５の逆方向リンクを測定することによってマクロネットワーク１００と通信している近くのアクティブＡＴ１１５の存在を検出するために、追加の無線受信機を必要とし得ることである。逆方向リンクの検知を可能にするために追加の無線受信機を含むことは、望ましくないことがある（たとえば、それがＦＡＰ２３０設計および実装形態のコストおよび複雑さを増大させ得る）。逆方向リンクの測定技法のさらに別の態様は、ＦＡＰ２３０によるＡＴ１１５の逆方向リンクの測定が完全に信頼できるとは限らないことである。たとえば、ＡＴ１１５がセルエッジにあるとき、ＡＴ１１５は、２つ以上のＦＡＰ２３０がＡＴ１１５を同時に検出し得るような、より高い送信電力を有し得る。同様に、ＡＴ１１５があまりに低い電力で送信しているとき、ＦＡＰ２３０はＡＴ１１５を検出しないことがある。
【００８０】
次に、レガシーシステムの事業者が、既存の技法を使用してＦＡＰ２３０へのアクティブなハンドインを確実にサポートすることができないことがあることが諒解されよう。実施形態は、レガシーネットワークおよび／またはレガシーＡＴ１１５のためのアクティブなハンドインをサポートするための新規の技法を含む。図６Ａを参照すると、アクティブなハンドインを可能にするための通信システム６００ａの単純化されたネットワーク図が示されている。
【００８１】
通信システム６００ａは、マクロネットワーク１００と、ユーザローカルネットワーク６１０と、コアネットワーク６３０とを含む。コアネットワーク６３０は、特に、フェムトコンバージェンスシステム（ＦＣＳ）６４０とモバイル交換センター（ＭＳＣ）６５０とを含む。ＦＣＳ６４０は、いくつかのＦＡＰ２３０（明快のためにただ１つのＦＡＰ２３０が示されている）と通信しており、ＭＳＣ６５０は、１つまたは複数のマクロＢＳＣ１２０を介して複数のマクロＢＴＳ１０５（明快のためにただ１つのマクロＢＴＳ１０５が示されている）と通信している。セルラー通信が、ＦＣＳ６４０およびＭＳＣ６５０の機能を使用してＦＡＰ２３０によって可能にされ得るように、ＦＡＰ２３０は、コアネットワーク６３０要素を介してマクロネットワーク１００と通信している。
【００８２】
（マクロ通信リンク６６０を介して）マクロＢＴＳ１０５とアクティブ通信しているＡＴ１１５は、ＦＡＰ２３０のカバレージエリアに接近し得る。上記で説明したように、マクロネットワーク１００（たとえば、マクロＢＳＣ１２０）は、ＡＴ１１５からの測定報告に基づいてハンドオフが必要とされると判断する。測定報告は、ターゲットＦＡＰ２３０をそれのセル識別子（たとえば、それのＰＮオフセット）によって識別する。次いで、ハンドインのための適切なＦＡＰ２３０を識別するために、ハンドオフ要求が、ＭＳＣ６５０によってターゲットＦＣＳ６４０に送られ得る。
【００８３】
説明したように、特に複数のＦＡＰ２３０がセル識別子を共有する場合、ＦＣＳ６４０が、セル識別子のみを使用してハンドインのための適切なターゲットＦＣＳ２３０を確実に判断することは、困難または不可能であり得る。いくつかの実施形態は、フェムトプロキシシステム２９０の特徴を活用する。図示のように、ユーザローカルネットワーク６１０は、フェムトプロキシシステム２９０の一部としてフェムトプロキシモジュール２４０のＯＯＢ機能と統合されたＦＡＰ２３０機能を含む。このＯＯＢ機能は、ＡＴ１１５とフェムトプロキシモジュール２４０との間に確立され得るＯＯＢ通信リンク６７０を介して可能にされる。
【００８４】
多くの様々なタイプの帯域外通信がここで説明した機能を（たとえば、上記で説明したように）可能にするために使用され得るが、以下の説明では、これらの実施形態のＯＯＢ通信を可能にするものとして、Ｂｌｕｅｔｏｏｔｈに焦点を当てる。Ｂｌｕｅｔｏｏｔｈは、いくつかの特徴を与える。１つの特徴は、Ｂｌｕｅｔｏｏｔｈ機能が、多くのユーザのために、それらの既存のＡＴ１１５を修正することなしに活用され得るように、Ｂｌｕｅｔｏｏｔｈ無線が多くのＡＴ１１５中に統合されることである。別の特徴は、２つの「クラス１．５」Ｂｌｕｅｔｏｏｔｈデバイス間の許容経路損失が、ＦＡＰ２３０とＡＴ１１５との間と同等、またはそれよりもさらに高くなり得ることである。任意の所与の環境では、このより高い許容経路損失は、（たとえば、本明細書で説明するように、ＦＡＰ２３０発見、ハンドオーバ、および／または干渉緩和を可能にする）より高い有効範囲につながることがある。
【００８５】
Ｂｌｕｅｔｏｏｔｈのさらに別の特徴は、Ｂｌｕｅｔｏｏｔｈアドレス（ＢＤ＿ＡＤＤＲ）が、各Ｂｌｕｅｔｏｏｔｈ対応デバイスを識別するために使用される一意の４８ビットアドレスであることである。Ｂｌｕｅｔｏｏｔｈアドレスは、デバイスが別のデバイスと通信するときに使用され、２４ビットＬＡＰ（下位アドレス部）と、１６ビットＮＡＰ（非有意アドレス部：Non-significant Address Part）と、８ビットＵＡＰ（上位アドレス部）とに分割される。ＬＡＰは製造業者によって割り当てられ、Ｂｌｕｅｔｏｏｔｈデバイスごとに一意であるが、ＵＡＰおよびＮＡＰはＯｒｇａｎｉｚａｔｉｏｎａｌｌｙ  Ｕｎｉｑｕｅ  Ｉｄｅｎｔｉｆｉｅｒ（ＯＵＩ）の一部である。Ｂｌｕｅｔｏｏｔｈアドレスを使用して、任意のデバイスにおける各Ｂｌｕｅｔｏｏｔｈアダプタは、グローバル一意値に従って識別され得る。
【００８６】
以下でより十分に説明するように、実施形態は、レガシーマクロネットワーク１００および／またはレガシーＡＴ１１５への変更が最小であるかまたはなしでアクティブなハンドインをサポートするために、図６の通信システム６００のようなシステムの環境において動作し得る。そのような実施形態の１つのセットは、アクティブなハンドインを可能にするためにＡＴ１１５およびＦＣＳ６４０への修正を使用する。特に、ＦＡＰ２３０のＯＯＢ識別子は、ＦＣＳ６４０によるターゲットＦＡＰ２３０の識別を可能にするために、ＡＴ１１５によって検出され、測定報告の一部として通信される。
【００８７】
ＡＴ１１５およびＦＡＰ２３０の各々は、他方のデバイスをページングする（たとえば、ＡＴ１１５がＦＡＰ２３０をページングするか、またはＦＡＰ２３０がＡＴ１１５をページングする）ために使用される一意のＢｌｕｅｔｏｏｔｈデバイスアドレス（ＢＤ＿ＡＤＤＲ）を有する。他方のデバイスのＢＤ＿ＡＤＤＲがページングデバイスによって知られていることを理解されたい。同じまたは同様の技法は、他のタイプの帯域外アドレス指定のために使用され得る。たとえば、デバイスは、互いのＷｉＦｉ  ＭＡＣアドレスなどを知り得る。ＡＴ１１５は、その場合、マクロネットワーク１００がアクティブなハンドインを実施するのを支援し得る。
【００８８】
フェムトプロキシモジュール２４０とのＯＯＢ通信リンク６７０が確立された後、ＡＴ１１５は、それの測定報告の一部としてターゲットＦＡＰ２３０のセル識別子（たとえば、ＰＮオフセット）とＯＯＢ識別子（たとえば、Ｂｌｕｅｔｏｏｔｈデバイスアドレス）とをＭＳＣ６５０に通信し得る。ＦＣＳ６４０は、セル識別子とＯＯＢ識別子との間のマッピングを維持し、次いで、そのマッピングは、アクティブなハンドインのためにターゲットＦＡＰ２３０を一意に識別するために使用され得る。
【００８９】
ＡＴ１１５のアクティブなハンドインを支援されるために様々な技法が使用され得る。たとえば、１つの技法は、ＡＴ１１５「エアインターフェース」（air-interface）におけるアップグレードに関与する（すなわち、新しいメッセージ、または既存のメッセージの修正に関与する）。また、新しいＡＴ１１５メッセージングの適切な通信は、マクロＢＳＣ１２０、ＭＳＣ６５０、ＦＣＳ６４０、およびＦＡＰ２３０への変更に関与し得る。レガシーマクロネットワーク１００へのこれらの変更は、大部分は（ハードウェアアップグレードではなく）ソフトウェアアップグレードであり得るが、事業者は、依然として変更を実装したがらないことがある。
【００９０】
実施形態の別のセットは、レガシーマクロネットワーク１００とレガシーＡＴ１１５の両方のためのアクティブなハンドインをサポートする。特に、ＦＡＰ２３０およびＦＣＳ６４０への変更は、ＦＡＰ２３０の支援されたアクティブなハンドインを可能にし得る。ＦＡＰ２３０の支援されたハンドインの実施形態は、エアインターフェース、マクロＢＳＣ１２０、またはＭＳＣ６５０への変更なしに実装され得る。ＦＡＰ２３０の支援されたハンドインは、（たとえば、ＡＴ１１５をＦＣＳ６４０に効果的に事前登録するためにＯＯＢプレゼンスインジケーションを使用して）ＦＣＳ６４０におけるＡＴ１１５のＦＡＰ２３０による登録を活用する。ＡＴ１１５を示唆するハンドオフ指示がＦＣＳ６４０において受信されると、ハンドインのための適切なターゲットＦＡＰ２３０を判断するのを助けるために、ＡＴ１１５の登録がＦＣＳ６４０によって使用され得る。
【００９１】
図２Ａを参照しながら上記で説明したように、ＦＡＰ２３０の実施形態は、ＡＴマッピング２１９を維持する。一般に、ＡＴマッピング２１９は、ＡＴ識別子（たとえば、国際モバイル加入者識別情報（ＩＭＳＩ）、モバイル機器識別子（ＭＥＩＤ：Mobile Equipment Identifier）、電子シリアル番号（ＥＳＮ：Electronic Serial Number）など）をＡＴ１１５のＯＯＢ無線に対応するＯＯＢ識別子（たとえば、Ｂｌｕｅｔｏｏｔｈデバイスアドレス、ＷｉＦｉ  ＭＡＣアドレスなど）とマッピングする。いくつかの実施形態では、たとえば、パブリックロングコードマスクを含めて、さらなるマッピングがＡＴマッピング２１９によってＡＴ１１５ごとに維持される。ＦＡＰ２３０が制限付きアクセスフェムトセルであるとき、ＡＴマッピング２１９は許可されたユーザのためにのみ維持され得る。たとえば、アクセス制御リストは、ＡＴマッピング２１９を含むか、またはＡＴマッピング２１９に関連するＦＡＰ２３０において維持される。
【００９２】
ＡＴマッピング２１９を確立するための様々な方法があり得る。１つの例示的な技法によれば、ＡＴ１１５は特定の番号に発呼し、それにより、ＡＴ１１５とＦＡＰ２３０との間のＯＯＢペアリング（たとえば、Ｂｌｕｅｔｏｏｔｈペアリング）を自動的にトリガし得る。このようにして、ＡＴ識別子とＯＯＢ識別子との間のマッピングが確立される。別の例示的な技法によれば、ユーザは、ＡＴの識別子（たとえば、ＩＭＳＩ）とＯＯＢ識別子（たとえば、ＢＤ＿ＡＤＤＲ）とをＦＡＰ２３０におけるユーザインターフェースに手動で入力する。さらに別の例示的な技法によれば、ユーザは、ポータル（たとえば、ウェブページ）を介してマッピング情報を入力し、ＦＡＰ２３０は、その情報をダウンロードする（たとえば、またはＦＡＰ２３０はウェブサーバを含み、ポータルはＦＡＰ２３０を直接アドレス指定する）。
【００９３】
本明細書で説明するアクティブなハンドイン機能は、ＯＯＢフェムトプロキシ２４０と統合されたＦＡＰ２３０を有するフェムトプロキシシステム２９０の使用に関与する。図６Ａに示したように、また、上記のいくつかの例示的な構成で説明したように、ＯＯＢフェムトプロキシ２４０は、ＦＡＰ２３０に通信可能に結合されたＯＯＢデバイス（たとえば、ＯＯＢ無線）を含む。たとえば、ＦＡＰ２３０とＯＯＢフェムトプロキシ２４０とは、単一のハウジングまたはアセンブリ中に物理的に統合され得る（たとえば、バスまたは何らかの他の内部接続を介して通信していることがある）か、またはＯＯＢフェムトプロキシ２４０は別個に格納され得、ワイヤードまたはワイヤレス接続を使用してＦＡＰ２３０と通信していることがある。一般に、ＯＯＢフェムトプロキシ２４０による近接検出がＦＡＰ２３０に対する近接をも示すように、ＯＯＢフェムトプロキシ２４０はＦＡＰ２３０の十分近くに配置される。
【００９４】
いくつかの他の構成では、ＯＯＢフェムトプロキシ２４０は、物理的にではなく、論理的にＦＡＰ２３０と統合される（たとえば、構成要素は、場合によってはネットワークによって論理的に互いに関連することができる）。たとえば、ＯＯＢフェムトプロキシ２４０をＦＡＰ２３０から物理的に分離しても、ＯＯＢフェムトプロキシ２４０による近接検出が、ＦＡＰ２３０に対する近接に関連することができるように、構成要素は共通のサブネットの一部であり得る。図６Ｂに、ＯＯＢフェムトプロキシ２４０およびＦＡＰ２３０がコアネットワーク６３０に関して論理的に統合される、アクティブなハンドインを可能にするための通信システム６００ｂの簡略ネットワーク図を示す。
【００９５】
図６Ａの場合のように、通信システム６００ｂは、マクロネットワーク１００と、ユーザローカルネットワーク６１０と、コアネットワーク６３０とを含む。コアネットワーク６３０は、特に、フェムトコンバージェンスシステム（ＦＣＳ）６４０とモバイル交換センター（ＭＳＣ）６５０とを含む。ＦＣＳ６４０は、いくつかのＦＡＰ２３０（明快のためにただ１つのＦＡＰ２３０が示されている）と通信しており、ＭＳＣ６５０は、１つまたは複数のマクロＢＳＣ１２０を介して複数のマクロＢＴＳ１０５（明快のためにただ１つのマクロＢＴＳ１０５が示されている）と通信している。セルラー通信が、ＦＣＳ６４０およびＭＳＣ６５０の機能を使用してＦＡＰ２３０によって可能にされ得るように、ＦＡＰ２３０は、コアネットワーク６３０要素を介してマクロネットワーク１００と通信している。
【００９６】
図示のように、ユーザローカルネットワーク６１０は、フェムトプロキシシステム２９０の一部としてＦＡＰ２３０とＯＯＢフェムトプロキシ２４０とを含む。ＯＯＢフェムトプロキシ２４０は、一体型ＯＯＢフェムトプロキシ／ルータ２４０ａとして示されている。たとえば、ブロードバンド通信サービスは、モデム６８０を介してユーザローカルネットワーク６１０に配信される。モデム６８０は、その場合、ローカルサブネットにブロードバンド通信サービスを提供するように構成されたＯＯＢフェムトプロキシ／ルータ２４０ａと通信している。たとえば、ＯＯＢフェムトプロキシ／ルータ２４０ａは、それのカバレージエリア中でＡＴ１１５が使用するＷｉＦｉ「ホットスポット」として働くＷｉＦｉルータである。
【００９７】
例示的なシナリオによれば、ＡＴ１１５は、（たとえば、ＷｉＦｉカバレージエリア内の）ＯＯＢフェムトプロキシ／ルータ２４０ａの近傍中に移動し、ＡＴ１１５は、ＯＯＢフェムトプロキシ／ルータ２４０ａを検出するか、またはＯＯＢフェムトプロキシ／ルータ２４０ａによって検出される。たとえば、ＡＴ１１５は、（たとえば、ＡＴ１１５にすでに知られ得、前に許可され得るなどの）特定のＳＳＩＤをもつワイヤレスネットワークを検出する。ＡＴ１１５にサービスを提供するより前に、ＯＯＢフェムトプロキシ／ルータ２４０ａは、ＡＴ１１５にＩＰアドレスを割り当てようと試み得る。割当てプロセスの一部として、ＯＯＢフェムトプロキシ／ルータ２４０ａは、サブネット上のすべてのデバイスにＤＨＣＰ要求をブロードキャストする。
【００９８】
ＦＡＰ２３０は、ＯＯＢフェムトプロキシ／ルータ２４０ａによって与えられるサブネット上のデバイスであるように構成される。ＯＯＢフェムトプロキシ２４０とＦＡＰ２３０とは、物理的な連結、物理的な統合などが行われることも行われないこともある。しかしながら、ＯＯＢフェムトプロキシ２４０とＦＡＰ２３０とがユーザローカルネットワーク６１０中の同じサブネットの一部であるので、ＦＡＰ２３０はＯＯＢフェムトプロキシ／ルータ２４０ａからＤＨＣＰ要求を受信する。ＤＨＣＰ要求は、ＡＴ１１５のＷｉＦｉ  ＭＡＣアドレス（たとえば、または他の同様のタイプの識別子）を含む。
【００９９】
ＦＡＰ２３０において、ＡＴ１１５のＭＡＣアドレスとそれの識別子（たとえば、ＩＭＳＩ、ＭＥＩＤ、ＥＳＮなど）との間のマッピングが維持される。ＦＡＰ２３０が、（たとえば、それのアクセスリストの一部であるＡＴ１１５、セルフォンであることが知られているＡＴ１１５などについて）認識されるＭＡＣアドレスをもつＤＨＣＰ要求を見ると、ＦＡＰ２３０は、アクティブなハンドインを可能にするために、ＡＴ１１５のための対応する識別子をＦＣＳ６４０に送る。代替的に、ＡＴ１１５のＭＡＣアドレスと識別子との間のマッピングは、ＦＣＳ６４０において維持され得る。したがって、ＦＡＰ２３０はＭＡＣアドレスをＦＣＳ６４０に送ることができ、ＦＣＳ６４０は対応するＡＴ識別子を取り出すことができる。
【０１００】
ＯＯＢフェムトプロキシ２４０とＦＡＰ２３０とを同じサブネット上にあるように構成することにより、フェムトプロキシシステム２９０の構成要素が物理的にまたは他の方法で統合されていない場合でも、それらの構成要素間の論理的統合を行い得る。ＷｉＦｉ  ＭＡＣアドレスをＡＴ識別子にマッピングすることにより、ＦＡＰ２３０との他のタイプのＯＯＢフェムトプロキシ２４０の統合に関して上記で説明したように（たとえば、図６Ａを参照しながら説明したように）、ＡＴ１１５が実質的に登録される（たとえば、事前登録される）ことが可能になる。
【０１０１】
ただ１つのＦＡＰ２３０が示されているが、ＯＯＢフェムトプロキシ／ルータ２４０ａは複数のＦＡＰ２３０と通信していることがある。たとえば、企業環境では、いくつかのＦＡＰ２３０は、セルラーサービスカバレージを大きいエリア（たとえば、オフィスビル）まで拡張するために使用され得る。複数のＦＡＰ２３０、および複数のＯＯＢフェムトプロキシ２４０さえ、すべて、ルータによって可能にされる共通のサブネット（たとえば、ローカルエリアネットワーク）の一部であり得る。近接がサブネット上のどこかで検出されたとき、ルータは、アクティブなハンドインの信頼性を改善するための適切なＤＨＣＰ要求および／または他のタイプのシグナリングをサブネット中のフェムトセルに送出することが可能であり得る。
【０１０２】
図６Ａおよび図６Ｂにおいて説明した構成は、例示的なものにすぎず、限定するものではない。ＯＯＢフェムトプロキシ２４０とＦＡＰ２３０との間の同じまたは同様のタイプの統合的な機能を提供するための他の構成が考えられる。たとえば、様々な実施形態によれば、多くの構成は、特定のＦＡＰ２３０への信頼できるアクティブなハンドインを可能にするために、ＯＯＢ近接検出が使用されることを可能にし得る。
【０１０３】
ＦＡＰ２３０の支援されたハンドインを可能にするために、図２Ａにおいて説明したＦＡＰのようなＦＡＰ２３０は、図７Ａおよび図７Ｂにおいて説明するＦＣＳなどのＦＣＳ６４０の実施形態と対話し得る。図７Ａに、フェムトコンバージェンスシステム（ＦＣＳ）６４０ａを含むワイヤレス通信システム７００ａのブロック図を示す。ＦＣＳ６４０ａは、通信管理サブシステム７１０と、フェムトインターフェースサブシステム７３０と、マクロインターフェースサブシステム７４０とを含む。ＦＣＳ６４０ａはまた、メモリ７１５とプロセッサモジュール７２５とを含む。ＦＣＳ６４０ａのすべての構成要素は、（たとえば、１つまたは複数のバスを介して）直接または間接的に互いと通信していることがある。
【０１０４】
環境および明快のために、ＦＡＰ２３０と通信しているフェムトインターフェースサブシステム７３０が示されており、（ＭＳＣ６５０ならびに／あるいは１つまたは複数のマクロＢＳＣ（図示せず）を介して）マクロＢＴＳ１０５と通信しているマクロインターフェースサブシステム７４０が示されている。ＦＡＰ２３０支援ハンドインを可能にすることに関与するものを含む、様々な通信機能は、通信管理サブシステム７１０を使用して実装および／または管理される。たとえば、通信管理サブシステム７１０は、マクロインターフェースサブシステム７４０の機能を使用してマクロネットワーク要素との通信を少なくとも部分的に処理し得、フェムトインターフェースサブシステム７３０の機能を使用してＦＡＰ２３０との通信を少なくとも部分的に処理し得る。たとえば、通信管理サブシステム７１０は、バスを介してＦＣＳ６４０ａの他の構成要素の一部または全部と通信しているＦＣＳ６４０の構成要素であり得る。
【０１０５】
メモリ７１５は、ランダムアクセスメモリ（ＲＡＭ）および読取り専用メモリ（ＲＯＭ）を含み得る。いくつかの実施形態では、メモリ７１５は、登録関係情報を維持するように構成される。以下でより十分に説明するように、登録関係情報は、ＦＡＰ２３０、ＡＴ１１５などのための識別子マッピング、ならびに登録メッセージ、フラグなどを含み得る。
【０１０６】
メモリ７１５はまた、実行されるとプロセッサモジュール７２５に本明細書で説明する様々な機能（たとえば、呼処理、データベース管理、メッセージルーティングなど）を実行させるように構成された命令を含んでいるコンピュータ可読、コンピュータ実行可能ソフトウェアコード７２０を記憶し得る。代替的に、ソフトウェア７２０は、プロセッサモジュール７２５によって直接的に実行可能でないことがあるが、たとえば、コンパイルされ実行されると、コンピュータに本明細書で説明する機能を実行させるように構成され得る。
【０１０７】
プロセッサモジュール７２５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール７２５の実施形態は、タイマー機能などの機能を可能にするように構成され得る。さらに、プロセッサモジュール７２５の実施形態は、通信管理サブシステム７１０、フェムトインターフェースサブシステム７３０、またはマクロインターフェースサブシステム７４０の機能の一部または全部を含むかまたは可能にする。
【０１０８】
たとえば、図７Ｂに、図７ＡのＦＣＳ６４０ａの代替構成であるＦＣＳ６４０ｂのブロック図を示す。図７ＡのＦＣＳ６４０ａの場合と同様に、図７ＢのＦＣＳ６４０ｂは、フェムトインターフェースサブシステム７３０と、マクロインターフェースサブシステム７４０と、メモリ７１５と、プロセッサモジュール７２５とを含み、そのすべては、（たとえば、１つまたは複数のバスを介して）直接または間接的に互いと通信している。図７ＡのＦＣＳ６４０ａとは異なり、図７ＢのＦＣＳ６４０ｂは通信管理コントローラ７１０を含む。通信管理コントローラ７１０の実施形態は、図７Ａに示す通信管理サブシステム７１０の機能と実質的に同じ機能を与えるために、プロセッサモジュール７２５の一部として実装される。
【０１０９】
上記で説明したように、図７Ａおよび図７Ｂにおいて説明したＦＣＳなどのＦＣＳ６４０の実施形態は、ＦＡＰ２３０の支援されたハンドインを可能にするために、図２Ａにおいて説明したＦＡＰのようなＦＡＰ２３０と対話することができる。たとえば、ＡＴ１１５がＦＡＰ２３０に接近したとき、ＦＡＰ２３０は、ＯＯＢリンク（たとえば、Ｂｌｕｅｔｏｏｔｈページングプロシージャ）を使用してそれに近接したＡＴ１１５を検出し、またはその逆も同様である。ＯＯＢ検出プロシージャに加えて、またはそれの一部として、ＦＡＰ２３０は、ＡＴ１１５が許可されたユーザであるかどうかを判断し得る。たとえば、ＦＡＰ２３０は、ＡＴ１１５が、ＦＡＰ２３０を介してマクロ通信サービスにアクセスすることを許可されるかどうかを判断するためにアクセス制御リストを検査し得る。
【０１１０】
互いを発見すると（また、ＦＡＰ２３０が、許可されたユーザとしてＡＴ１１５を確認すると）、ＦＡＰ２３０はＡＴ１１５をＦＣＳ６４０に登録する。たとえば、ＦＡＰ２３０は、検出プロシージャ中に検出されたＡＴ１１５のＯＯＢ識別子（たとえば、Ｂｌｕｅｔｏｏｔｈデバイスアドレス、ＷｉＦｉ  ＭＡＣアドレス）と、ＡＴのＩＭＳＩのようなＡＴ１１５の識別子との間のＡＴマッピング２１９を維持する。ＦＡＰ２３０は、ＡＴの識別子に従ってＡＴ１１５をＦＣＳ６４０に登録し得る。
【０１１１】
いくつかの実施形態では、ＡＴ１１５がＦＡＰ２３０を検出する前にＡＴ１１５の検出および登録が実行され得るように、ＯＯＢ無線範囲（たとえば、Ｂｌｕｅｔｏｏｔｈカバレージのエッジ）はＦＡＰ２３０カバレージ範囲よりも大きい。したがって、多くの場合、ハンドオフがＡＴ１１５の測定報告によってトリガされる前に、ＡＴ１１５のためのＯＯＢプレゼンスインジケーションがＦＡＰ２３０によってＦＣＳ６４０に通信され得る（すなわち、ＡＴを示唆するハンドオフ要求を受信すると、ＡＴ１１５は効果的に「事前登録」され得る）。
【０１１２】
様々なタイプの登録または事前登録は、マクロネットワーク１００および／またはＦＡＰ２３０環境において利用可能であり得る。本明細書で使用する「登録」および「事前登録」は、特に、ＯＯＢプレゼンスインジケーションを使用するＦＣＳ６４０へのＡＴ１１５の登録を指すものとする。ハンドオフがトリガされ、ハンドオフ要求が（たとえば、ＭＳＣ６５０から）ＦＣＳ６４０において受信されると、ＦＣＳ６４０は、（たとえば、ＡＴ１１５の識別子に従って）ＯＯＢプレゼンスインジケーションをハンドオフ要求と関連させることが可能であり得る。この情報を用いて、ＦＣＳ６４０は、適切なターゲットＦＡＰ２３０を一意に識別し、ハンドインを確実に進めることができる。
【０１１３】
場合によっては、ＦＣＳ６４０は、ＡＴの識別子（たとえば、ＩＭＳＩ）をもつＦＡＰ２３０の前のＯＯＢプレゼンスインジケーションに基づいて、ＡＴ１１５がＦＡＰ２３０に近接しているとＦＣＳ６４０が考えていることを示すフラグをもつハンドオフ要求をＦＡＰ２３０に通信する。フラグを受信すると、ＦＡＰ２３０は、（たとえば、ＯＯＢフェムトプロキシを使用してＯＯＢチャネルを介して、逆方向リンクの検知を使用してマクロチャネルを介して、または両方を介して）再びＡＴ１１５を検出しようと試み得る。ＡＴ１１５がもはやＦＡＰ２３０に近接していない場合、ＦＡＰ２３０はＦＣＳ６４０からのハンドオフ要求を拒否することができる。さらに、以下で説明するように、いくつかのタイプの登録解除技法が使用され得る。
【０１１４】
１つの登録解除技法によれば、ＡＴ１１５は、ＯＯＢ不在指示をＦＣＳ６４０に通信することによって明示的に登録解除される。たとえば、ＯＯＢフェムトプロキシ２４０および／またはＦＡＰ２３０は、ＡＴ１１５とのリンク損失を検出し、ＯＯＢ不在指示（absence indication）の形態で登録解除要求をＦＣＳ６４０に送り得る。別の登録解除技法によれば、対応するハンドオフ要求を受信することなく、登録した後にある量の時間が経過した場合、ＡＴ１１５は登録解除され得る。さらに別の登録解除技法によれば、ＡＴ１１５は、ターゲットＦＡＰ２３０へのハンドオフの肯定応答時に、明示的または暗黙的に登録解除され得る。
【０１１５】
いくつかの実施形態では、アクティブなＡＴ１１５について登録が実行されるのみである。１つの例示的なシナリオでは、上記で説明したように、登録は、ＯＯＢリンクを介した検出と、ＦＣＳ６４０へのＯＯＢプレゼンスインジケーションの後続の通信とに基づく。このシナリオでは、ＦＡＰ２３０は、ＡＴ１１５がＷＷＡＮアイドル状態にあるのかアクティブ状態にあるのか（たとえば、ボイス呼中であるのか）を知らないことがある。アイドルハンドオフの場合、ＡＴの識別子（たとえば、ＩＭＳＩ）を用いたＦＣＳ６４０への、ＦＡＰ２３０の事前登録は無視される。たとえば、ハンドオフ要求メッセージがタイムアウトより前にＦＣＳ６４０に到着しない場合、暗黙的登録解除が行われ得る。
【０１１６】
別の例示的なシナリオでは、同じく上記で説明したように、登録は、ＯＯＢリンクを介した検出と、次いで逆方向リンクの検知を使用するＷＷＡＮを介した検出とに基づく。このシナリオでは、ＦＡＰ２３０は、ＡＴ１１５がＷＷＡＮアクティブ状態にあることを知っている。いくつかの実施形態では、アイドルＡＴ１１５は事前登録されない。たとえば、ＡＴ１１５がＯＯＢリンクを介して検出されるが、逆方向リンクの検知によって検出されない（すなわち、ＡＴ１１５が近接しているが、ＷＷＡＮアイドル状態で動作していることを示す）場合、ＦＡＰ２３０は登録要求をＦＣＳ６４０に送らないであろう。
【０１１７】
さらに別の例示的なシナリオでは、ＡＴ１１５を示唆するハンドオフ要求メッセージが（たとえば、コアネットワーク６３０からＦＡＣＤＩＲ２メッセージとして）ＦＣＳ６４０に到着する。ＡＴ１１５が（たとえば、ＯＯＢプレゼンスインジケーションによって）事前登録された場合でも、ＦＣＳ６４０は、事前登録に基づいてＡＴ１１５がＦＡＰ２３０に近接しているとＦＣＳ６４０が考えていることを示すフラグをもつハンドオフ要求を、その特定のＦＡＰ２３０に送り得る。いくつかの実施形態では、ＦＡＰ２３０は、ＯＯＢリンクを介して、または逆方向リンクの検知を使用して、再びＡＴ１１５を検出しようと試みる。それが失敗した場合は、ＦＡＰ２３０はハンドオフ要求を拒否し得、それが成功した場合は、ＦＡＰ２３０はハンドオフ要求を受け付け得る。
【０１１８】
上記のシナリオでは、逆方向リンクの検知は、ＯＯＢリンク検出によってトリガされ、他の場合には行われないことがある。逆方向リンクの検知は、一般に、固定のＡＴ１１５のパブリックロングコードマスクを使用して実行され得る（すなわち、プライベートロングコードマスクは一般に、商業的に使用されないことがある）。したがって、逆方向リンクの検知は、ＡＴ識別子（たとえば、ＩＭＳＩ）と、ＡＴ１１５のＯＯＢ識別子（たとえば、ＢｌｕｅｔｏｏｔｈデバイスアドレスまたはＷｉＦｉ  ＭＡＣアドレス）と、ＡＴ１１５のパブリックロングコードマスクとの間のマッピングがＦＡＰ２３０において維持されるようにＦＡＰ２３０において構成され得る。
【０１１９】
ＡＴ１１５を示唆する対応するハンドオフ要求がＦＣＳ６４０において受信された後に登録要求がＦＣＳ６４０において受信された場合、ＦＣＳ６４０は様々な方法でハンドインを処理し得る。たとえば、登録要求が、対応するハンドオフ要求後に受信されたときでも、本明細書で説明する技法は、アクティブなハンドインを可能にするのを助けるために使用され得る。代替的に、ハンドインがないことがあるか、またはブラインドハンドイン、逆方向リンクの検知などのような、上記で説明した技法が使用され得る。
【０１２０】
本明細書で説明するＦＡＰ２３０支援されたハンドイン技法は、いくつかの特徴を与え得る。１つの特徴は、本技法が、アクティブなハンドインのための適切なターゲットＦＡＰ２３０を確実に判断するために使用され得ることである。別の特徴は、ＯＯＢプレゼンスインジケーションの通信による事前登録が、逆方向リンクの検知技法において使用される測定要求および応答タイマーに関係するレイテンシを低減するかまたはなくし得ることである。さらに別の特徴は、（たとえば、測定要求および応答からの）コアネットワークシグナリングが低減され得ることである。さらに別の特徴は、ＦＡＰ２３０が逆方向リンクの検知のために使用される追加の無線なしに実装され得ることである（しかしながら、いくつかの実施形態は、追加の無線が依然として所望され得るように、逆方向リンクの検知技法に対する拡張として本明細書で説明する技法を使用し得る）。別の特徴は、ＡＴ１１５、エアインターフェース、またはレガシーインフラストラクチャにおいて変更が必要とされないことがあることである。本技法は、ＦＡＰ２３０およびＦＣＳ６４０のみへの変更を用いて実装され得る。
【０１２１】
発見可能モード実施形態
アクティブなハンドインのためのターゲットＦＡＰ２３０の正確な識別を可能にするために、ＯＯＢチャネルを介して近接したＡＴ１１５を識別するためにラウンドロビンまたは同様の様式でＡＴ１１５をページングするための技法が使用され得るが、いくつかの環境では、他の技法を使用することがより望ましいことがある。たとえば、数百個のＡＴ１１５がＦＡＰ２３０のアクセス制御リストの一部である環境では、複数のＦＡＰ２３０が、より大きいカバレージエリアを形成するために一緒に動作している場合、またはゲストＡＴ１１５を容易にプロビジョニングし、サポートすることが望ましい場合、オープンなＦＡＰ２３０のアクセスが望まれる場合、他の技法がより望ましいことがある。これらのおよび／または他の環境の特徴は、一部の企業または他の大規模フェムト展開において見られ得る。
【０１２２】
環境の特徴に対処するのを助けるために、いくつかの技法は、発見可能モードにあるＡＴ１１５を使用する。ＡＴ１１５は発見可能モードにあり、ＦＡＰは照会状態にあり、すなわち、照会を実行している。これらの技法は、ＯＯＢ近接検出について、ページスキャンではなく、ＦＡＰによる照会とモバイルによるインクワイアリスキャン（inquiry scan）とを使用する。Ｂｌｕｅｔｏｏｔｈ（または同様の）ページング技法を使用すると、ＡＴ１１５は「ページスキャン」モードにあり得、ページングされているＡＴ１１５のみがメッセージに応答することになる。さらに、ＡＴ１１５のリストをページングすることは、リスト中の各ＡＴ１１５に有向通信（たとえば、ページング要求メッセージ）を送ることを伴い得る。したがって、ページングリストが増大するにつれて、近接検出のためにページングを使用することは、実際的でなく（たとえば、検出レイテンシが望ましくなくなり得）、さらには不可能であり得る。
【０１２３】
対照的に、照会は、範囲内のＡＴ１１５のいずれかに対する無方向性の（たとえば、ブロードキャストまたはマルチキャスト）メッセージとして実装され得る。Ｂｌｕｅｔｏｏｔｈ実装形態では、ＡＴ１１５は、少なくともＦＰＳ２９０に近接している間、「ページスキャン」モードにではなく、「インクワイアリスキャン」（たとえば、「発見可能」）モードにあるであろう。一般に、インクワイアリスキャン動作モードにあるＡＴ１１５による電力使用は、ページスキャン動作モードにおける電力使用と同様であり得る。ＦＰＳ２９０、特にフェムトプロキシ２４０が、その照会を行うことになる。
【０１２４】
プロアクティブ（proactive）手法またはプロアクティブ方法では、ＦＰＳ２９０は、プロアクティブに照会を実行し、照会応答からＦＰＳ２９０の近傍のモバイルを検出し、そのモバイルに関してＦＡＰ−ＧＷに報告する。この方法は、有利なことに、低い検出レイテンシを有する。この方法を使用して、ＡＴは、以下で説明するようにＲＳＳＩ検知が完全でないとき、ＡＴがＷＷＡＮアイドルモードにあるときでも、検出されることになる。
【０１２５】
リアクティブ（reactive）手法またはリアクティブ方法では、ＦＡＰ−ＧＷがハンドオフ要求を受信したとき、ＦＡＰ−ＧＷは、照会を実行することと、照会応答から検出されたＦＰＳ２９０の近傍のモバイル１１５を報告することとを行うようにＦＰＳ２９０に要求する。この方法は、有利なことに、たいてい、ＡＴ１１５がアクティブ呼モードにあるとき、ＡＴ１１５を検出するが、プロアクティブ手法は、より低い検出レイテンシを有し得る。
【０１２６】
別の手法は、ＡＴ１１５がＦＰＳ２９０に近接しており、ＦＰＳ２９０がインクワイアリスキャンモード、すなわち、発見可能モードにあるとき、たとえばトリガに基づいて、ＡＴ１１５に照会を実行させることである。トリガは、ＦＰＳ２９０に対する近接、たとえば、（たとえば、全地球測位衛星システム、他の衛星測位システム、または他の技法によって判断された）ロケーション、無線周波（ＲＦ）シグナチャ（たとえば、ＢＴＳ＋ＲＳＳＩの組合せ）などに関連付けられる。
【０１２７】
ＡＴ識別情報は一般にＯＯＢ情報交換の一部ではないので、ＡＴ識別情報とＯＯＢ識別情報との間のマッピングが使用される。ＡＴ識別情報（好ましくは、ＡＴ１１５のＩＭＳＩなどのＡＴ１１５の一意の識別子）と、ＡＴのＢｌｕｅｔｏｏｔｈアドレスＢＤ＿ＡＤＤＲなどのＯＯＢ識別情報との間のマッピングのための異なる手法もあり得る。長期ソリューションである１つの手法は、何らかのコアネットワーク要素（たとえばＦＡＰ−ＧＷ）が、モバイルの一意の識別子とモバイルのＯＯＢ識別子との間のマッピング、たとえば、モバイルのＩＭＳＩとモバイルのＢＤ＿ＡＤＤＲとの間のマッピングを維持することである。ネットワークは、複数無線動作についてモバイル１１５のモデムの共存行列の知識を有することから恩恵を受ける。別の手法は、ＡＴ１１５がＦＡＰ２３０によって検出されると、ＯＯＢリンク、たとえば、ＢＴリンクをセットアップした後に、ＡＴのＩＭＳＩとＡＴのＢＤ＿ＡＤＤＲとの間のマッピング情報をＦＰＳ２９０に送る、ＦＰＳ２９０とＡＴ１１５との上で実行するアプリケーションである。ＯＯＢセキュリティに加えて、アプリケーションレイヤセキュリティは、ＩＭＳＩがセキュアな方法でＦＰＳ２９０に送られることを保証する。
【０１２８】
マッピングは、１回のみ送られ得、その後の時間では、ＦＰＳ２９０または企業ネットワークにおけるローカルデータベースから取り出され得る。企業ユーザのために、マッピングはまた、企業サーバによって維持され得、ＦＰＳ２９０にとって利用可能であり得る。このマッピングは、企業に関連付けられたモバイル１１５のためのものであり、ゲストモバイル１１５（すなわち、企業に前もって関連付けられていないモバイル１１５）のために補われるであろう。
【０１２９】
フェムトが照会を実行すること
プロアクティブ手法
事業者は、異なる方法で発見可能モードを扱い得る。たとえば、いくつかの事業者は、ＡＴ１１５が発見可能モードにとどまることを可能にし、他の事業者は、ＡＴ１１５が限られた時間量（たとえば、数分）の間のみ発見可能モードにとどまることを可能にする。したがって、いくつかの実装形態は、ＦＰＳ２９０に近接したときに「発見可能」モードにあるようにＡＴ１１５をトリガするように構成されたモバイルアプリケーションを含む。
【０１３０】
たとえば、ＡＴ１１５のユーザは、（たとえば、アプリケーションインターフェースを使用して、ＦＰＳ２９０に近接している間に現在ＧＰＳ位置を選択すること、ＦＰＳ２９０のアドレスを入力することなどによって）ターゲットＦＰＳ２９０の地理的ロケーションを識別する。アプリケーションは、ＡＴ１１５がＦＰＳ２９０に地理的に近接しているかどうかを判断するために、ＡＴ１１５のロケーション（または（１つまたは複数の）他のパラメータ、たとえば、ＲＦプロファイル、マクロセルシグナチャ）を監視する。ＡＴ１１５がＦＰＳ２９０に近接している（またはＦＰＳ２９０の近傍に接近している）とき、アプリケーションは、適切な場合、ＡＴ１１５のＯＯＢ無線をアクティブにすることと、発見可能モードに入ることとを行うようにＡＴ１１５に指示する。
【０１３１】
ＦＰＳ２９０、特にフェムトプロキシモジュール２４０は、照会要求として近接要求メッセージを通信し得る。たとえば、任意の近接したＢｌｕｅｔｏｏｔｈデバイスについて照会するために、汎用照会アクセスコード（ＧＩＡＣ：general inquiry access code）が使用され得、またはある規定（許容／許容できる）デバイスクラス（ＣｏＤ：class of devices）の任意の近接したＢｌｕｅｔｏｏｔｈデバイスについて照会するために、専用照会アクセスコード（ＤＩＡＣ：dedicated inquiry access code）が使用され得る。一般に、照会メッセージは、７９個の利用可能なＢｌｕｅｔｏｏｔｈ周波数のうちの３２個の前もって同意されたシーケンス上で通信される。
【０１３２】
受信側ＡＴ１１５は照会応答メッセージ（たとえば、ＦＨＳパケット）で応答する。照会応答メッセージは、ＯＯＢアドレス（たとえば、ＢＤ＿ＡＤＤＲ）、および／または他の関係するパラメータを含み得る。ＤＩＡＣメッセージングが使用されるとき、正しいＣｏＤの近接したＢｌｕｅｔｏｏｔｈデバイスのみ（たとえば、モバイルＡＴ１１５のみ）が応答し得る。ＧＩＡＣメッセージングが使用されるとき、任意のＣｏＤの任意の近接したＢｌｕｅｔｏｏｔｈデバイスが応答し得、不要なデバイスクラスから発信した応答を無視するために、応答をポストフィルタ処理することが望ましいことがある。
【０１３３】
照会プロシージャは、一般に（たとえば、１０秒よりも少ない）十分に短い時間量を要し得る。さらに、照会メッセージは有向な照会メッセージではないので、ラウンドロビンレイテンシがないことがある。したがって、検出レイテンシは、ＦＰＳ２９０のアクセス制御リスト中のＡＴ１１５の数によって実質的に影響を受けないことがある。
【０１３４】
企業展開は、一般に、その企業のカバレージを与えるために多数のＦＰＳを含むことになるが、それらのＦＰＳの一部は、アクティブなマクロセルフェムトセル間ハンドインを支援するためのＯＯＢ無線（たとえば、Ｂｌｕｅｔｏｏｔｈ）に対応していないことがある。たとえば、ある展開は、企業の受付エリアおよび他の入口をカバーするためにのみ、ＯＯＢ機能をもつＦＰＳを使用し得る。この構成では、ほとんどのＡＴが、長い時間量にわたってＯＯＢ対応ＦＰＳの範囲内になく、照会応答を送らないことになる。この構成は、複数のデバイスがほぼ同じ時間に照会を送ることによる、ＡＴにおける電力消費と干渉とへの影響を制限するのを助けることができる。
【０１３５】
ＡＴ１１５は、たとえば、一時的な状態中にまたは特定のイベントのために、発見可能モードでの限られた時間期間が十分であろう状況において、制限付きＯＯＢ発見可能モードで動作するように構成され得る。制限付き発見可能モードにあるＡＴ１１５は、たとえば、制限付き照会アクセスコード（ＬＩＡＣ：limited inquiry access code）を使用して、制限付き照会を行うＦＰＳに応答することができる。フェムトプロキシシステム２９０はＬＩＡＣを送出することができ、ＡＴ１１５は、１つまたは複数のトリガに基づいて制限付き発見可能モードに入ることができる。好ましくは、ＡＴのＯＯＢデバイスは、しきい値時間Ｔgap、たとえば、１分よりも多くの間、制限付き発見可能モードにない。インクワイアリスキャン中にＯＯＢデバイスが同時に走査しているＩＡＣを生成するために、ＨＣＩ＿Ｗｒｉｔｅ＿Ｃｕｒｒｅｎｔ＿ＩＡＣ＿ＬＡＰコマンドが使用される。ＡＴ１１５のすべてが少なくとも１つのＩＡＣ（ＧＩＡＣ）をサポートするが、いくつかのＯＯＢデバイスは追加のＩＡＣをサポートする。
【０１３６】
上記で説明したシステムは、照会ベースの近接検出機能を与えるように適応され得る。照会ベースの動作モードのいくつかの態様は、たとえば、建築物、キャンパス、地理的領域などの全体にわたって分散している、企業コンテキストにおける多数の、たとえば、数百個のモバイルを伴うコンテキストにおける近接検出を可能にし得る。
【０１３７】
図８Ａ〜図８Ｄに、複数のフェムトプロキシシステム（すなわち、２９０ａ〜２９０ｎ）中に含まれる複数のＦＡＰ２３０を各々が有する、そのような分散フェムト展開１８００の４つの例を示す。各フェムトプロキシシステム２９０は、コアネットワーク６３０の要素、たとえば、フェムトコンバージェンスシステム６４０と通信している。本明細書で説明するように、各フェムトプロキシシステム２９０のＯＯＢプロキシ２４０（図示せず）は、ＡＴ１１５の近接を検出する。近接したとき、フェムトプロキシシステム２９０は、ＡＴマップ２１９に従ってＡＴ１１５のＯＯＢ情報をいくつかの識別子にマッピングする。それらの識別子は、ソースマクロＢＴＳ１０５からターゲットＦＡＰ２３０へのＡＴ１１５の信頼できるアクティブなハンドインを可能にするためにコアネットワーク６３０によって使用され得る。
【０１３８】
特に図８Ａを参照すると、展開１８００ａが示されており、各フェムトプロキシシステム２９０がＡＴマップ２１９の一部または全部を記憶する。いくつかのそのような展開は、図２Ａまたは図２Ｂに示したフェムトプロキシシステムのようなフェムトプロキシシステム２９０を使用する。たとえば、ＡＴ１１５が、ＯＯＢチャネルを介してフェムトプロキシシステム２９０に近接して検出されたとき、ＯＯＢ情報は、ローカルに記憶されたＡＴマップ２１９に従って関係する識別子にマッピングされる。関係する識別子は、次いで、アクティブなハンドインを可能にするためにフェムトプロキシシステム２９０のＦＡＰ２３０からコアネットワーク６３０に（たとえば、ＦＣＳ６４０に）通信される。異なる実装形態が、異なる方法でＡＴマップ２１９を分散し得る。たとえば、各フェムトプロキシシステム２９０がＡＴマップ２１９全体の同じ同期コピーを有することがあり、ＡＴマップ２１９の部分が複数のＦＡＰ２３０にわたって分散していることがある、などである。
【０１３９】
図８Ｂを参照すると、展開１８００ｂが示されており、単一のＡＴマップ２１９が（たとえば、ＦＣＳ６４０によって）コアネットワーク６３０において記憶される。いくつかのそのような展開は、図７Ａまたは図７Ｂに示したＦＣＳのようなＦＣＳ６４０を使用する。たとえば、ＡＴ１１５が、ＯＯＢチャネルを介してフェムトプロキシシステム２９０に近接して検出されたとき、ＯＯＢ情報はＦＣＳ６４０（または別のコアネットワーク６３０の要素）に送られる。ＯＯＢ情報は、ＡＴマップ２１９に従ってコアネットワーク６３０において関係する識別子にマッピングされ、アクティブなハンドインを可能にするために使用される。
【０１４０】
たとえば、あるサービスプロバイダがそれのプロバイダネットワーク上でアクティブなハンドインをサポートすることを望むと仮定する。プロバイダは、ＡＴマップ２１９を維持するためにプロバイダのコアネットワーク６３０をアップグレードする。顧客が、自宅からオフィス、コーヒーショップなどに移動するにつれて、顧客のＡＴ１１５は、ネットワーク全体にわたって分散しているフェムトプロキシシステム２９０によって検出され得る。その場合、（たとえば、顧客がすべてのそれらのロケーションにおいて各フェムトプロキシシステム２９０に登録する必要なしに）信頼できるアクティブなハンドインを可能にすることによって顧客のエクスペリエンスを向上させるために、中央に記憶されたＡＴマップ２１９が使用され得る。
【０１４１】
図８Ｃを参照すると、展開１８００ｃが示されており、単一のＡＴマップ２１９が企業サーバ１８１０において記憶される。各フェムトプロキシシステム２９０は、コアネットワーク６３０（たとえば、ＦＣＳ６４０）と企業サーバ１８１０との両方と通信している。たとえば、ＡＴ１１５が、ＯＯＢチャネルを介してフェムトプロキシシステム２９０に近接して検出されたとき、ＯＯＢ情報は企業サーバ１８１０に送られ、そこで、ＯＯＢ情報は、企業全体ＡＴマップ２１９に従って関係する識別子にマッピングされる。関係する識別子は、次いで、アクティブなハンドインを可能にするためにコアネットワーク６３０に（たとえば、ＦＣＳ６４０に）通信される。企業ネットワークの構成に応じて、関係する識別子はＦＡＰ２３０に返送され得、そこから、関係する識別子は（たとえば、図８Ａの場合のように）コアネットワーク６３０に送られ得、または関係する識別子は何らかの他の企業ネットワーク要素を介してコアネットワーク６３０に送られ得る。
【０１４２】
ある企業が、建築物全体にわたって、キャンパスにわたってなど、アクティブなハンドインをサポートすることを望むと仮定する。たとえば、例示的な企業建築物が、８つのフロアを有し、約１０００人の従業員をサポートする。信頼できるカバレージのために、各フロアが約３つのＦＡＰ２３０を必要とすると判断され、その結果、建築物全体が、約２５個のＦＡＰ２３０を使用して確実にカバーされ得る。ＦＡＰ２３０は、すべて、企業サーバ１８１０において維持されるＡＴマップ２１９へのアクセスを有する。いずれの従業員またはゲストも、（たとえば、建築物中の各ＦＡＰ２３０に登録する必要なしに）建築物中のＦＡＰ２３０のいずれかへの信頼できるアクティブなハンドインを可能にするために企業サーバ１８１０を介してプロビジョニングされ得る。
【０１４３】
図８Ｄを参照すると、展開１８００ｄが、ＡＴ１１５ａ〜１１５ｎと、フェムトプロキシシステム２９０ａ〜２９０ｎと、ＦＣＳ６４０を含むコアネットワーク６３０とを含む。ＡＴ１１５の各々において実行しているアプリケーションが、ＡＴ１１５の識別子をＯＯＢリンクを介してフェムトプロキシシステム２９０のＦＡＰ２３０に与えることができる。フェムトプロキシシステム２９０は、その識別子をフェムトプロキシシステム２９０にマッピングし、そのマッピングをコアネットワーク６３０に与えることができる。展開１８００ｄは、マッピング情報がまだ利用可能でない新しいモバイルのためのマッピングを与えるために、展開１８００ａおよび／または展開１８００ｃと併せて使用され得る。
【０１４４】
図８Ａ〜図８Ｃの展開１８００は、多くの可能な分散展開のうちのいくつかを表す。同様の技法が、単一のＦＡＰ２３０のみを有する展開（たとえば、宅内展開）など、非分散展開に対しても使用され得る。これらおよび／または他のシステムは、アクティブなハンドインを可能にするために照会モード近接検出を使用する技法を含む、ＯＯＢ近接検出技法のための環境として与えられる。
【０１４５】
図９に、ターゲットＦＰＳ２９０がプロアクティブに照会を実行する、照会モードＯＯＢ近接検出を使用して、そのＦＰＳ２９０へのＡＴ１１５のアクティブなハンドインを可能にするための例示的な方法１９００の流れ図を示す。方法１９００は、段階１９０４において、ＯＯＢチャネルを介してフェムトプロキシシステム２９０から無方向性の近接要求メッセージを通信することによって開始する。上記で説明したように、フェムトプロキシシステム２９０は、コアネットワーク要素（たとえば、ＦＣＳ６４０）に通信可能に結合されたＯＯＢ無線２４０とＦＡＰ２３０とを含む。近接要求メッセージは、フェムトプロキシシステム２９０に近接したときに複数のＡＴ１１５のいずれかによって受信されるように構成される。たとえば、近接要求メッセージは、Ｂｌｕｅｔｏｏｔｈ発見可能モードにあるいずれかの近接したＡＴ１１５による受信のためにＢｌｕｅｔｏｏｔｈチャネルを介してブロードキャストされるＢｌｕｅｔｏｏｔｈインクワイアリパケットである。
【０１４６】
段階１９０８において、近接要求メッセージに応答してＡＴ１１５のうちの１つまたは複数からＯＯＢチャネルを介して近接応答メッセージを受信する。近接応答メッセージは、ＡＴ１１５がフェムトプロキシシステム２９０に（たとえば、ＦＡＰ２３０に）近接していることを示す。近接応答メッセージは、ＡＴ１１５に対応するＯＯＢ識別子を含む。たとえば、近接応答メッセージは、ＡＴ１１５に関連するＢｌｕｅｔｏｏｔｈアドレス（たとえば、ＢＤ＿ＡＤＤＲ）とデバイスクラスとを含む。
【０１４７】
段階１９１２において、ＡＴ１１５のためのＯＯＢプレゼンスインジケーションを判断する。コアネットワークが、ＯＯＢ  ＩＤとＩＭＳＩとの間のマッピングを維持する場合、ＦＡＰ２３０は、ＯＯＢプレゼンスインジケーションとしてＯＯＢ  ＩＤを使用する。場合によっては、ＩＭＳＩを判断するためにＯＯＢ  ＩＤが使用される場合（図８Ａ、図８Ｃ、図８Ｄ参照）、ＦＡＰ２３０は、ＯＯＢプレゼンスインジケーションとしてＩＭＳＩを使用する。
【０１４８】
段階１９１６において、ＦＡＰ２３０に対するＡＴ１１５の近接を示すＯＯＢプレゼンスインジケーションをＦＡＰ２３０からコアネットワーク要素に通信する。
【０１４９】
図１０を参照しながら以下で説明するように、いくつかの構成は、ＡＴ１１５がまた、アクティブな通信しているときのみ、プレゼンスインジケーションを送る。ＡＴ１１５がアクティブであるかどうかを判断するために様々な技法が使用され得る。たとえば、ＯＯＢチャネルを介してＡＴ１１５の存在を検出すると、ＦＡＰに近接したいずれかのアクティブなＡＴ１１５を検出するために、マクロチャネルを介した逆方向リンク（たとえば、ＲＳＳＩ）検知が使用され得る。いくつかの構成では、プレゼンスインジケーションの他の選択的送信も実装され得る。たとえば、いくつかの構成は、ＯＯＢ識別子（たとえば、ＢＤ＿ＡＤＤＲ）が（たとえば、ある所定の持続時間の）最近の報告ウィンドウ内ですでに送られたとき、そのＯＯＢ識別子を事前登録のためにコアネットワーク６３０に送らないことがある。
【０１５０】
段階１９２０において、方法１９００は、ＯＯＢプレゼンスインジケーションに応答してマクロネットワークからハンドオフ要求を受信したことに応答して、マクロネットワークのソースマクロセル（たとえば、マクロＢＴＳ１０５）からＦＡＰ２３０へのＡＴ１１５のアクティブなハンドインを可能にする。たとえば、段階１９１２に関して説明したように、コアネットワーク要素は、マッピングに従ってＡＴ１１５のＡＴ識別子を判断または受信する。ハンドインのためにＡＴ１１５を登録するために、および／または他の方法でハンドインを可能にするために、様々な技法が使用され得る。たとえば、ＦＰＳ２９０は、検出プロシージャ中に検出されたＡＴ１１５のＯＯＢ識別子（たとえば、Ｂｌｕｅｔｏｏｔｈデバイスアドレス、ＷｉＦｉ  ＭＡＣアドレス）と、ＡＴのＩＭＳＩのようなＡＴ識別子との間のＡＴマッピング２１９を維持する。ＦＰＳ２９０は、ＡＴの識別子に従ってＡＴ１１５をＦＣＳ６４０に登録し得る。
【０１５１】
図１０に、図９の方法１９００の一部の例示的な実装形態を示すコールフロー図２０００を示す。コールフロー図２０００では、ＡＴ１１５と、ターゲットＦＰＳ２９０と、ＦＡＰ−ＧＷ２００１との間の対話に焦点が当てられている。段階２０１０において、ＦＰＳ２９０は、（たとえば、特定のＣｏＤの）いずれかのＡＴ１１５が近接しているかどうかを検出するために、ＦＰＳ２９０の関連するＯＯＢチャネルを介して（すなわち、ＯＯＢプロキシ２４０を使用して）照会を送ることによって照会を実行する。ＦＰＳ２９０は、インクワイアリパケットを通信し、インクワイアリ応答パケットを待つ。段階２０１２において、ＡＴ１１５は、インクワイアリパケットについてリッスンすることと、適切なときに応答することとを行うように構成されるように、発見可能モード（たとえば、インクワイアリスキャンモード）にある。ＡＴ１１５は、上記で説明したように、１つまたは複数のトリガによりインクワイアリスキャンモードに入り得る。段階２０１４において、ＡＴ１１５は、ＦＰＳ２９０に対するＡＴ１１５の近接を示す照会応答で応答する。ＦＰＳ２９０は、デバイス１１５がモバイルデバイスであることを検出する。たとえば、ＦＰＳ２９０は、モバイルデバイス１１５がＦＰＳ２９０に近接していると判断するためにデバイスクラス（ＣｏＤ）を分析する。
【０１５２】
プロセス２０００中の随意の段階である、段階２０１６において、ＦＰＳ２９０は、ＦＰＳ２９０に近接したアクティブＡＴ１１５があるかどうかを判断するためにマクロ周波数においてＲＳＳＩ検知を実行する。上記で説明したように、アイドルのハンドインは、間違ったターゲットＦＰＳ２９０へのハンドオフに伴う問題の多くに実質的に鈍感であり得るので（たとえば、ドロップすべきアクティブ呼がない、または中断すべきファイル転送がない）、アクティブなハンドインでこれらの技法を実行することのみが望ましいことがある。したがって、（たとえば、段階２０１４に従って）ＡＴ１１５が、ＯＯＢチャネルを介して近接して検出されたときでも、検出されたＡＴ１１５がアクティブな通信しているかどうかを判断することが望ましいことがある。段階２０１６において逆方向リンクの検知を使用することにより、ＡＴ１１５（または近接しているいずれかのＡＴ１１５）がアクティブかであるかどうかを判断することができる。
【０１５３】
段階２０１６におけるＲＳＳＩ検知は、常に正確な結果を与えるとは限らないことがある。たとえば、第１のＡＴ１１５と第２のＡＴ１１５が両方ともＦＰＳ２９０に近接しているが、第２のＡＴ１１５のみがアクティブＷＷＡＮ通信していると仮定する。段階２０１４において、照会応答が第１のＡＴ１１５から受信されるが、第２のＡＴ１１５は、応答しないことがあり、たとえば、いくつかの理由で検出されないことがある。段階２０１６において、ＲＳＳＩ検知は、ＦＰＳ２９０に近接したアクティブなマクロモバイルがあることを検出するが、アクティブなマクロモバイルが第１のＡＴ１１５であるのか第２のＡＴ１１５であるのかを解決しない。第１のＡＴ１１５は、第２のＡＴ１１５が事前登録される必要があったにもかかわらず、アクティブなハンドインのために事前登録される。近接したＦＡＰ２３０間でのソフトハンドオフは、複数の近接したＦＡＰ２３０のうちの最適ではないＦＡＰ２３０による検出に関連する問題を緩和するのを助け得る。
【０１５４】
段階２０１６においてアクティブなＡＴ１１５が逆方向リンクの検知で検出されない場合、いくつかの構成は、続いてハンドインのためにＡＴ１１５を登録しない。たとえば、ＦＰＳ２９０は、ＡＴ１１５からの照会応答を無視するか、または近接検出以外の機能を与えるためにのみ照会応答を使用し得る。段階２０１６においてＡＴ１１５がアクティブとして検出された場合、段階２０１８において、ＡＴ１１５のＯＯＢ識別子（たとえば、ＢＤ＿ＡＤＤＲ）がＦＡＰ−ＧＷ２００１に送られる。ＦＡＰ２３０は、ＦＡＰ−ＧＷ２００１にモバイルデバイス１１５のＯＯＢ  ＩＤを送る。たとえば、ＦＡＰ２３０は、ＦＡＰ−ＧＷ２００１にモバイルデバイス１１５のＢＤ＿ＡＤＤＲを送る。ＦＡＰ２３０は、たとえば、直近の時間ウィンドウ中に送られた報告中で、ＯＯＢアドレスが最近送られた場合、ＯＯＢアドレスを送らないことがある。
【０１５５】
段階２０２０において、ＦＡＰ−ＧＷ２００１は、ＯＯＢ識別子を、マクロネットワーク上でＡＴを識別するＡＴ１１５のためのＡＴ識別子にマッピングする。たとえば、ＢＤ＿ＡＤＤＲはＡＴ１１５のＩＭＳＩにマッピングされる。モバイルデバイス１１５の一意のモバイル識別子（マクロアドレス、ＩＭＳＩ）は、モバイルデバイス１１５がそれの近くにあるかまたはそれに接近している、ＦＡＰ２３０にマッピングされる。コールフロー図２０００は、マッピングが、ＦＰＳ２９０または企業サーバにおいてではなく、ＦＡＰ−ＧＷ２００１において実装されると仮定するが、上記で与えた説明に従ってそれらの他の技法を考慮するためにコールフロー図２０００に対して修正が行われ得る。ＡＴ１１５のＡＴ識別子を判断（たとえば、または受信）すると、ＦＡＰ−ＧＷ２００１は、段階２０２２において、アクティブなハンドインのためにＡＴ１１５を事前登録することができる。後で、ＦＡＰ−ＧＷ２００１は、ハンドオフ必要メッセージを受信し、アクティブなハンドインのためのターゲットＦＰＳ２９０としてＦＰＳ２９０を（特にターゲットＦＡＰとしてＦＰＳ２９０のＦＡＰ２３０を）選択することになる。
【０１５６】
プロセス２０００は、少なくとも１つのＡＴがＲＳＳＩを使用して検出される、ＦＰＳ照会中に検出された複数のＡＴ上で動作することになる。この場合、ＦＰＳ２９０は、ＦＰＳ照会中に検出されたＡＴのすべてを登録することになる。
【０１５７】
図１１に、図９の方法１９００の一部の別の例を示すコールフロー図２１００を示す。プロセス２１００では、段階２１１０、２１１２、２１１４、および２１１６は、図１０に関して上記で説明した段階２０１０、２０１２、２０１４、および２０１６と同様である。プロセス２１００では、ネットワーク要素、ここではＦＡＰ−ＧＷ２１０１は、一般に、ＡＴ１１５のＯＯＢアドレスとＡＴ識別子、たとえば、ＩＭＳＩとのマッピングを有しない。
【０１５８】
段階２１１８において、ＦＰＳ２９０は、ＡＴにＢｌｕｅｔｏｏｔｈページメッセージを送り、ＡＴ１１５へのＡＣＬトランスポートをセットアップする。ＦＰＳ２９０は、ＡＣＬトランスポートがセットアップされると、ＡＴ１１５にＡＴ識別子を要求する。
【０１５９】
段階２１２０において、ＡＴ１１５上で実行しているアプリケーションが、ＦＰＳ２９０と確立されたＯＯＢリンクを介してＦＰＳ２９０にＩＭＳＩを送る。段階２１２２において、ＡＴ識別子、ここではＡＴ１１５のＩＭＳＩは、ＦＡＰ２３０によってＦＡＰ−ＧＷ２１０１に送られる。ＦＡＰ２３０は、たとえば、直近の時間ウィンドウ中に送られた報告中で、ＩＭＳＩが最近送られた場合、ＩＭＳＩを送らないことがある。
【０１６０】
段階２１２４において、ＦＡＰ−ＧＷ２１０１は、ＡＴ識別子を用いてアクティブなハンドインのためにＡＴを事前登録する。ＦＡＰ−ＧＷ２１０１は、ハンドオフ要件メッセージが受信されたとき、ＦＡＰ２３０を選択する際の将来の使用のために、ＦＡＰ−ＧＷ２１０１にＩＭＳＩを送ったＦＡＰ２３０に関連してＩＭＳＩを記憶することによって、ＩＭＳＩを事前登録する。後で、ＦＡＰ−ＧＷ２１０１は、ハンドオフ必要メッセージを受信し、アクティブなハンドインのためのターゲットＦＡＰであるＦＡＰ２３０を選択することになる。
【０１６１】
図１２を参照すると、ハンドインのためにＡＴ１１５を登録するプロセス２２００が、示されている段階を含む。プロセス２２００は、一例であり、たとえば、段階を追加し、削除し、および／または並べ替えることによって、修正され得る。
【０１６２】
段階２２０２において、ＡＴ１１５が、ＦＰＳ２９０を含むフェムトプロキシに接近するとき、モバイルデバイスは、ＦＰＳ２９０にインクワイアリパケットを送るようにトリガされる。様々な形態のトリガ、たとえば、ＧＰＳで判断されたロケーション、ＲＦシグナチャなどが可能である。ＦＰＳ２９０は、好ましくは常に発見可能モードにあり、段階２２０４においてＡＴ１１５に応答する。
【０１６３】
段階２２０６において、ＦＰＳ２９０はまた、マクロ周波数におけるＲＳＳＩ検知によって、アクティブなモバイルデバイス１１５がＦＳＰの近傍にあると判断し得る。ＦＰＳ２９０は、ＦＰＳ２９０に近接したアクティブなＡＴ１１５があるかどうかを判断するために、受信された信号のＲＳＳＩ値を分析する。
【０１６４】
段階２２０８において、ＦＰＳ２９０、特にフェムトプロキシモジュール２４０は、ＡＴ１１５とのＯＯＢリンクを開始する。ＦＰＳ２９０は、ＡＴ１１５にページを送り、ＡＴ１１５とのＡＣＬトランスポートをセットアップする。
【０１６５】
段階２２１０において、ＡＴ１１５は、ＦＰＳ２９０に一意のＡＴ識別子を送る。ＯＯＢリンクがＦＰＳ２９０とＡＴ１１５との間に確立されると、ＡＴ１１５は、ＡＴ１１５からＡＴ１１５上で実行されるアプリケーションを介してＦＰＳ２９０にＡＴ１１５の一意の識別子、ここではＩＭＳＩを送る。初めてモバイルデバイス１１５がＦＰＳ２９０の近傍に入るとき、ＦＡＰ２３０は、このようにしてＡＴ識別子を取得し、ＡＴ識別子を（ＦＰＳ２９０中の）ローカルデータベースに記憶する。その後モバイルデバイス１１５がＦＰＳ２９０の近傍に入るとき、ＦＰＳ２９０は、ローカルデータベースからＡＴ識別子を取得する。
【０１６６】
段階２２１２において、どのように取得されたにせよ、ＦＰＳ２９０は、ＡＴ識別子をＦＡＰ−ＧＷ２４０１に送る。ＦＡＰ−ＧＷ２４０１は、段階２２１４においてＡＴ１１５のＩＭＳＩを事前登録し、ある時間ウィンドウ内にそのＡＴ１１５についてのハンドオフ要求についてＦＰＳ２９０を選択する際に使用するためにＦＰＳ２９０とともにＡＴ１１５のためのＩＭＳＩのマッピングを使用することができる。ＡＴ１１５がもはやＦＰＳ２９０の近傍において検出されない場合、ＦＰＳ２９０は、ＦＡＰ−ＧＷ２４０１からＡＴ１１５を登録解除する。
【０１６７】
リアクティブ手法
図１３を参照すると、リアクティブ手法による移動局ハンドオフのプロセス２３００が、示されている段階を含む。プロセス２３００は、一例であり、たとえば、段階を追加し、削除し、および／または並べ替えることによって、修正され得る。たとえば、段階２３０６が、段階２３０４および／または２３０２の前に行われることがある。
【０１６８】
段階２３０２において、ＦＡＰ−ＧＷ２３０１が、特定のＡＴ１１５についてのハンドオフ要求を受信する。その要求はマクロネットワークから受信され得る。その要求は、ＡＴのＩＭＳＩなどの一意の識別子によって識別される、特定のＡＴ１１５を示す。ＦＡＰ−ＧＷ２３０１は、特定のＡＴ１１５がハンドオフのためにＦＡＰ−ＧＷ２３０１によってＦＡＰと現在関連付けられていないと判断する。
【０１６９】
段階２３０４において、ハンドオフメッセージがＦＡＰ−ＧＷによって受信されたとき、ＦＡＰ−ＧＷは、同じＰＮオフセット（ＵＭＴＳの場合はＰＳＣ）を共有するＦＡＰ２３０であって、それのＰＮオフセットが、モバイルのＰＳＭＭ（パイロット強度測定メッセージ：Pilot Strength Measurement Message）中で報告されたＯＮオフセットと一致する、ＦＡＰ２３０の各々に、モバイルデバイス１１５の存在を検出するように要求する。ＦＡＰ−ＧＷ２３０１は、特定のＡＴが候補ＦＡＰに近接しているかどうかを判断するために、「モバイル検出」要求を送る。ＦＡＰ−ＧＷ２３０１は、ＦＡＰに近接している（ＦＡＰと通信している）ＡＴをＦＳＰ２９０に検出させるために、モバイル検出要求を送る。モバイル検出要求は、ＦＰＳ２９０がＯＯＢ  ＩＤとＩＭＳＩとの間のマッピングを維持する場合はＩＭＳＩを含み、あるいは他の場合はＯＯＢ  ＩＤを含むことになる。
【０１７０】
段階２３０６において、ＦＰＳ２９０は、ＦＰＳ２９０に近接したＡＴ１１５を検出するための照会を送ることによって、ＦＡＰ−ＧＷ２３０１からのモバイル検出要求に応答する。ＦＰＳ２９０は、ＡＴ１１５がＦＰＳ２９０のＯＯＢ範囲内にあるかどうかを判断することによって、ＦＰＳ２９０に近接したＡＴ１１５を検出することができる。
【０１７１】
段階２３０８において、ＡＴ１１５は発見可能である。ＡＴ１１５は、ＡＴ１１５がＦＰＳ２９０から照会メッセージを受信することができるように、発見可能モード、すなわち、インクワイアリスキャンモードにとどまるか、またはトリガに基づいてそのモードに入る。
【０１７２】
段階２３１０において、ＡＴ１１５は、ＦＰＳ２９０からの照会メッセージに応答する。ＡＴ１１５は、ＦＡＰ２３０を含むＦＰＳ２９０に照会メッセージに対する照会応答を送ることによって応答する。ＦＰＳ２９０は、（ＣｏＤの分析からの、別のタイプのデバイスとは対照的に）モバイルデバイス１１５がＦＰＳの近傍にあると判断することになる。
【０１７３】
段階２３１２において、ＦＰＳ２９０はまた、マクロ周波数におけるＲＳＳＩ検知によって、アクティブなモバイルデバイス１１５がＦＳＰの近傍にあると判断し得る。ＦＰＳ２９０は、ＦＡＰ−ＧＷによって示されたＡＴ１１５がＦＰＳ２９０に近接しているかどうかを判断するために、受信された信号のＲＳＳＩ値を分析する。この段階は、段階２３０４においてＯＯＢ  ＩＤがＦＡＰ−ＧＷによって送られた場合、省略され得る。
【０１７４】
段階２３１４において、ＦＰＳ２９０は、ＦＰＳ２９０に近接して検出されたＡＴ１１５に関する情報をＦＡＰ−ＧＷ２３０１に送る。ＦＰＳ２９０は、ＯＯＢアドレス、たとえば、照会応答中で受信された近接しているＡＴ１１５のＢＤ＿ＡＤＤＲをＦＡＰ−ＧＷ２３０１に送る。
【０１７５】
段階２３１６において、コアネットワークは、近接しているＡＴ１１５の一意の識別子を判断する。ＦＡＰ−ＧＷ２３０１は、コアネットワークが、特定のモバイルデバイス１１５についてのハンドオフ要求をどのＦＰＳ２９０に送るべきかを知ることになるように、ＯＯＢアドレスを使用して、ＯＯＢアドレスをモバイルデバイス１１５のＡＴ識別子（たとえば、ＩＭＳＩ）にマッピングする。
【０１７６】
図１４を参照すると、代替リアクティブ手法による移動局ハンドオフのプロセス２４００が、示されている段階を含む。プロセス２４００は、一例であり、たとえば、段階を追加し、削除し、および／または並べ替えることによって、修正され得る。たとえば、段階２４０６が、段階２４０４および／または２４０２の前に行われることがある。プロセス２４００では、段階２４０２、２４０４、２４０６、２４０８、２４１０、および２４１２は、それぞれ、図１３に示したプロセス２３００の段階２３０２、２３０４、２３０６、２３０８、２３１０、および２３１２と同様である。プロセス２４００では、ＦＰＳ２９０は、モバイルデバイス１１５上で実行されるアプリケーションを介してモバイルデバイス１１５から一意のモバイルデバイス識別子（ＡＴ識別子）を取得する。
【０１７７】
段階２４１４において、ＦＰＳ２９０は、ＡＴ１１５とのＯＯＢリンクを介して通信を開始する。ＦＰＳ２９０は、ＡＴ１１５にページを送り、ＡＴ１１５とのＡＣＬトランスポートをセットアップする。
【０１７８】
段階２４１６において、ＡＴ１１５は、ＦＰＳ２９０に一意のＡＴ識別子を送る。ＯＯＢリンクがＦＰＳ２９０とＡＴ１１５との間に確立されると、ＡＴ１１５は、ＡＴ１１５からＡＴ１１５上で実行されるアプリケーションを介してＦＰＳ２９０にＡＴ１１５の一意の識別子、ここではＩＭＳＩを送る。初めてモバイルデバイス１１５がＦＰＳ２９０の近傍に入るとき、ＦＰＳ２９０は、このようにしてＡＴ識別子を取得し、ＡＴ識別子を（ＦＰＳ２９０中の）ローカルデータベースに記憶する。その後モバイルデバイス１１５がＦＰＳ２９０の近傍に入るとき、ＦＰＳ２９０は、ローカルデータベースからＡＴ識別子を取得する。
【０１７９】
段階２４１８において、どのように取得されたにせよ、ＦＰＳ２９０は、ＡＴ識別子をＦＡＰ−ＧＷ２４０１に送る。ＦＡＰ−ＧＷ２４０１は、次いで、段階２４０２において要求されたハンドオフについてＦＰＳ２９０を選択する際に使用するためにＦＰＳ２９０とともにＡＴ１１５のためのＩＭＳＩのマッピングを使用することができる。
【０１８０】
プロセス２４００では、ＦＡＰ−ＧＷ２４０１がハンドオフ要求を受信した後、ＦＡＰ−ＧＷ２３０１が照会を実行するようにＦＰＳ２９０に要求し、ＦＰＳ２９０が複数のモバイルデバイス１１５の存在を検出すると、ＦＰＳ２９０は、ＯＯＢ  Ｉｄ（ＢＤ＿ＡＤＤＲ）とＩＭＳＩとの間のマッピングがＦＡＰにおいてローカルデータベースに記憶されていない限り、モバイルデバイス１１５のうちのどれが当該のモバイルデバイス１１５であるかを知らないことになる。ＦＰＳ２９０は、検出されたモバイルデバイス１１５のＡＴ識別子を得るために、またはＦＰＳ２９０が当該のモバイルに接続するまで、検出されたモバイルデバイス１１５の各々をページングする。ＦＰＳ２９０は、ハンドオフのためにＦＡＰ−ＧＷ２３０１によって報告されたＡＴ識別子に一致するＡＴ識別子がモバイルデバイスアプリケーションによって報告された後、モバイルデバイス１１５をページングするのを停止することができる。
【０１８１】
アクティブなハンドインの詳細
以下で説明する技法は、企業適用例におけるアクティブなハンドインで特に有用である。たとえば、ＦＡＰは、ＲＳＳＩ検知が、ＦＡＰに近接したいずれのアクティブなモバイルをも検出しない場合、照会プロシージャから受信されたＢＤ＿ＡＤＤＲをＦＡＰ−ＧＷに送らないことを選択し得る。したがって、アイドルのモバイルからの応答は無視される。さらに、複数のモバイルデバイスが照会に応答し得、それらのモバイルデバイスのうちのいくつかが、早期にすでに応答していることがある。ＦＳＰは、指定された時間量内で、たとえば、最近、応答がすでにそこから受信されたモバイルデバイスについての応答をフィルタ処理することができる。照会応答は（好ましくはプロアクティブ技法の場合）フェムトプロキシにおいてフィルタ処理され得るが、モバイルデバイスにフェムトプロキシからの照会に応答させないことが好ましい。また、（特定のデバイスを対象とする）ページスキャンおよび（特定のデバイスを対象としない）インクワイアリスキャンは、連続的であるかまたはトリガされ／制限されるかのいずれにせよ、宅内（ページスキャン）シナリオおよび企業（インクワイアリスキャン）シナリオのためのアクティブなハンドインのために一緒に実行され得る。モバイルデバイスが（たとえば、プラットフォーム制限または事業者ポリシーにより）限られた時間の間、発見可能モードに入る場合、アプリケーションは、タイムアウト時間の後に発見可能モードに再び入るようにモバイルデバイスをトリガすることができる。
【０１８２】
同じモバイルからの照会応答の数を低く抑えることが望ましい。企業展開では、建築物のためのカバレージを与えるために、いくつかのＦＳＰが一般に使用されることになる。アクティブなマクロセルフェムトセル間ハンドインを支援するために、ＦＳＰのすべてよりも少ないＦＳＰがＯＯＢ無線（たとえば、Ｂｌｕｅｔｏｏｔｈ）に対応していることがある。たとえば、受付と建築物の他の入口との近くのＦＳＰのみがＯＯＢ無線を与えられ得る。したがって、あまり多くのモバイルデバイスが、長時間、ＯＯＢ無線を搭載したＦＳＰの範囲内になく、照会応答を送らないことになる。これは、複数のデバイスがほぼ同じ時間に照会を送ることによる電力消費と干渉とを低減するのを助けることができる。
【０１８３】
電力消費への影響を低く抑え、潜在的に最小に抑えるために、モバイルからの照会応答の数を制限するのを助けるために、他の技法が使用され得る。一時的な状態中にまたは特定のイベントのために、限られた時間期間の間、発見可能であるデバイスによって、制限付き発見可能モードが使用される。このモードでは、デバイスは、制限付き照会（制限付き照会アクセスコード（ＬＩＡＣ）を使用した照会）を行うデバイスに応答することができる。Ｂｌｕｅｔｏｏｔｈデバイスは、ＴGAP、たとえば、１分よりも多くの間、制限付き発見可能モードにあるべきでない。インクワイアリスキャン中にローカルＢｌｕｅｔｏｏｔｈデバイスが同時に走査しているＩＡＣを作成するために、ＨＣＩ＿Ｗｒｉｔｅ＿Ｃｕｒｒｅｎｔ＿ＩＡＣ＿ＬＡＰコマンドが使用される。すべてのＢｌｕｅｔｏｏｔｈデバイスが少なくとも１つのＩＡＣ（汎用照会アクセスコード（ＧＩＡＣ））をサポートするが、いくつかのＢｌｕｅｔｏｏｔｈデバイスは追加のＩＡＣをサポートする。フェムトプロキシはＬＩＡＣを送出することができ、モバイルデバイスは、常に発見可能モードにあることができるか、またはトリガに基づいて制限付き発見可能モードに入り得る。トリガの例は、限定はしないが、（たとえば、ＧＰＳを使用して判断された）ロケーション、マクロＲＦシグナチャ（たとえば、検出された信号強度に基づくマクロセルの信号シグナチャ）、および（ソフトハンドオフが望まれるボイス呼処理中などの）ステータスを含む。
【０１８４】
企業展開
ＦＰＳ間でソフトハンドオフが使用され得る。マルチフェムト展開、たとえば、企業展開では、いくつかのＦＰＳが、建築物の同じフロアまたは複数のフロア上で展開される可能性がある。これらのＦＰＳは、一般に、それら自体の間でのソフトハンドオフをサポートする。ＲＳＳＩ検知がない場合、フェムトは、モバイルデバイスがアクティブ呼中であるかどうかを知らないことになる。ＲＳＳＩ検知がある場合でも、フェムトは、検出されたモバイルデバイスがアクティブ呼中であるかどうかを１００％の精度では知らないことになる。たとえば、それのＯＯＢ無線がオフである１つのモバイルデバイスはＲＳＳＩ検知で検出され得、第２のモバイルデバイスはそれのＯＯＢ無線を介して検出され得る。ＯＯＢ無線（およびＲＳＳＩ検知）を使用してモバイルデバイスを検出するＦＰＳは、たとえば、建築物入口の近くに配置されたＦＰＳであるので、好適なターゲットＦＰＳでないことがある。ただし、ＦＰＳ間でのソフトハンドオフを使用することは、好適なターゲットＦＰＳの使用を保証するのを助ける。
【０１８５】
他の考慮事項
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。
【０１８６】
説明した様々な例示的な論理ブロック、モジュール、および回路は、汎用プロセッサ、デジタル信号プロセッサ（ＤＳＰ）、ＡＳＩＣ、フィールドプログラマブルゲートアレイ信号（ＦＰＧＡ）、または他のプログラマブル論理デバイス（ＰＬＤ）、個別ゲート、またはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１８７】
説明した方法またはアルゴリズムの動作は、直接ハードウェアで実施されるか、プロセッサによって実行されるソフトウェアモジュールで実施されるか、またはその２つの組合せで実施され得る。ソフトウェアモジュールは、任意の形態の有形記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。記憶媒体は、プロセッサがその記憶媒体から情報を読み取り、その記憶媒体に情報を書き込むことができるように、プロセッサに結合され得る。代替として、記憶媒体はプロセッサに一体化され得る。ソフトウェアモジュールは、単一の命令、または多数の命令であり得、いくつかの異なるコードセグメント上で、異なるプログラム間で、および複数の記憶媒体にわたって分散され得る。
【０１８８】
本明細書で開示する方法は、説明した方法を達成するための１つまたは複数のアクションを備える。本方法および／またはアクションは、特許請求の範囲から逸脱することなく互いに交換され得る。言い換えれば、アクションの特定の順序が指定されない限り、特定のアクションの順序および／または使用は特許請求の範囲から逸脱することなく変更され得る。
【０１８９】
説明した機能は、ハードウェア、ソフトウェア、ファームウェア、またはそれらの任意の組合せで実装され得る。ソフトウェアで実装される場合、機能は１つまたは複数の命令として有形コンピュータ可読媒体に記憶され得る。記憶媒体は、コンピュータによってアクセスされ得る任意の利用可能な有形媒体であり得る。限定ではなく、例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の有形媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。
【０１９０】
したがって、コンピュータプログラム製品は、本明細書で提示した動作を実行し得る。たとえば、そのようなコンピュータプログラム製品は、本明細書で説明した動作を実行するために１つまたは複数のプロセッサによって実行可能である命令を有形に記憶（および／または符号化）したコンピュータ可読有形媒体であり得る。コンピュータプログラム製品はパッケージング材料を含み得る。
【０１９１】
ソフトウェアまたは命令はまた、伝送媒体を介して送信され得る。たとえば、ソフトウェアは、同軸ケーブル、光ファイバーケーブル、ツイストペア、デジタル加入者回線（ＤＳＬ）などの伝送媒体、あるいは赤外線、無線、またはマイクロ波などのワイヤレス技術を使用して、ウェブサイト、サーバ、または他のリモートソースから送信され得る。
【０１９２】
さらに、本明細書で説明した方法および技法を実行するためのモジュールおよび／または他の適切な手段は、適用可能な場合にユーザ端末および／または基地局によってダウンロードおよび／または他の方法で取得され得る。たとえば、そのようなデバイスは、本明細書で説明した方法を実行するための手段の転送を可能にするためにサーバに結合され得る。代替的に、本明細書で説明した様々な方法を記憶手段（たとえば、ＲＡＭ、ＲＯＭ、ＣＤまたはフロッピーディスクなどの物理的記憶媒体など）によって提供することができ、それにより、ユーザ端末および／または基地局は、その記憶手段をデバイスに結合または供給すると、それらの様々な方法を取得することができるようになる。さらに、本明細書で説明する方法および技法をデバイスに与えるための任意の他の好適な技法が利用され得る。
【０１９３】
他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。
【０１９４】
他の実装形態の例として、ＢＬＥモードが使用され得る。たとえば、図１０、図１１、図１３、および図１４では、ＯＯＢプロキシ２４０は、レガシーＢｌｕｅｔｏｏｔｈモードで照会メッセージを送る。ＢＬＥ動作モードでは、ＯＯＢプロキシ２４０は、広告チャネル上でＯＯＢプロキシのＯＯＢアドレスを含んでいる広告ブロードキャストパケットを送るであろう。ＡＴ１１５は、ＯＯＢプロキシ２４０からの広告パケットを走査し、ＡＴ１１５が広告を受信したとき、ＡＴ１１５は、ＡＴ１１５がＯＯＢプロキシ２４０、したがってＦＡＰ−ＯＯＢ２９０に近接していることを知るであろう。ＡＴ１１５は、ＦＡＰ−ＯＯＢ２９０との接続を開始し、ＦＡＰ−ＯＯＢ２９０は、ＯＯＢ  ＩＤと、ＡＴ１１５がＦＡＰ−ＯＯＢ２９０に近接していることとを知るであろう。ＯＯＢ  ＩＤとＡＴ識別子とのマッピングがＡＴ１１５中にある場合（図１１および図１４）、ＡＴ１１５は、ＯＯＢプロキシ２４０にＯＯＢ接続を介してＡＴ識別子（たとえば、ＩＭＳＩ）を送るであろう。
【０１９５】
ＢＬＥ動作モードを使用する別の実装形態の別の例として、図１２を参照すると、図１２の場合のようにレガシーＢｌｕｅｔｏｏｔｈモードで照会を送る代わりに、ＡＴ１１５は、広告チャネル上でＡＴのＯＯＢアドレスを含んでいるＢＬＥ広告ブロードキャストパケットを送り得る。ＯＯＢプロキシ２４０は、ＡＴ１１５からの広告パケットを走査し、ＯＯＢプロキシ２４０が広告パケットを受信したとき、ＯＯＢプロキシ２４０は、ＡＴ１１５がＯＯＢプロキシ２４０に近接していることを知るであろう。（存在しない場合）ＯＯＢ接続が確立され、ＡＴ１１５は、ＯＯＢプロキシ２４０にＯＯＢ接続を介してＡＴ識別子（たとえば、ＩＭＳＩ）を送る。
【０１９６】
また、特許請求の範囲を含めて、本明細書で使用する場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣ、またはＡＢまたはＡＣまたはＢＣまたはＡＢＣ（すなわち、ＡおよびＢおよびＣ）、あるいは２つ以上の特徴をもつ組合せ（たとえば、ＡＡ、ＡＡＢ、ＡＢＢＣなど）を意味するような選言的列挙を示す。さらに、「例示的」という用語は、説明する例が他の例よりも好適であるかまたは良いことを必要としない。
【０１９７】
本明細書で説明した技法の様々な変更、置換、および改変は、添付の特許請求の範囲によって定義された教示の技術から逸脱することなく行われ得る。その上、本開示および特許請求の範囲は、上記で説明したプロセス、機械、製造、組成物、手段、方法、およびアクションの特定の態様に限定されない。本明細書で説明した対応する態様と実質的に同じ機能を実行するか、または実質的に同じ結果を達成する、現存するかまたは後で開発される、プロセス、機械、製造、組成物、手段、方法、またはアクションが利用され得る。したがって、添付の特許請求の範囲は、それらの範囲内にそのようなプロセス、機械、製造、組成物、手段、方法、またはアクションを含む。
以下に、本願出願の当初の特許請求の範囲に記載された発明を付記する。
［Ｃ１］  マクロセルフェムトセル間ハンドインのための方法であって、前記方法は以下を備える、
帯域外（ＯＯＢ）チャネルを介してフェムトプロキシシステムから無方向性の近接要求メッセージを通信することであって、前記近接要求メッセージは、前記フェムトプロキシシステムに近接したときに複数のアクセス端末のいずれかによって受信されるように構成され、前記フェムトプロキシシステムが、コアネットワーク要素に通信可能に結合されたＯＯＢ無線とフェムトセルとを備える、ことと、
前記近接要求メッセージに応答して前記複数のアクセス端末のうちのあるアクセス端末からＯＯＢリンクを介して近接応答メッセージを受信することであって、前記近接応答メッセージは、前記アクセス端末が前記フェムトプロキシシステムに近接していることを示す、ことと、
前記フェムトセルに対する前記アクセス端末の近接を示すプレゼンスインジケーションを前記フェムトセルから前記コアネットワーク要素に通信することと、
マクロネットワークのソースマクロセルから前記フェムトセルへの前記アクセス端末のアクティブなハンドインを可能にすること。
［Ｃ２］  前記近接応答メッセージが前記アクセス端末のＯＯＢ識別子を含み、
前記プレゼンスインジケーションを通信することが、前記フェムトセルから前記コアネットワーク要素に前記ＯＯＢ識別子を通信することを備える、Ｃ１に記載の方法。
［Ｃ３］  前記アクセス端末の前記ＯＯＢ識別子を、前記マクロネットワーク上で前記アクセス端末を識別するＡＴ識別子にマッピングすることをさらに備える、Ｃ２に記載の方法。
［Ｃ４］  前記近接応答メッセージが前記アクセス端末のＯＯＢ識別子を含み、
前記フェムトプロキシシステムが企業サーバに通信可能に結合され、
前記方法が、
前記フェムトセルから前記企業サーバに前記ＯＯＢ識別子を通信することと、
ＯＯＢ識別子とアクセス端末識別子とのマッピングに従って前記企業サーバにおいてアクセス端末識別子を判断することとをさらに備え、
前記プレゼンスインジケーションを通信することが、前記企業サーバから前記コアネットワーク要素に前記アクセス端末識別子を通信することを備える、Ｃ１に記載の方法。
［Ｃ５］  前記マッピングが前記フェムトプロキシシステムにローカルに記憶され、
ＯＯＢプレゼンスインジケーションを通信することが、
前記マッピングに従って前記フェムトプロキシシステムにおいてアクセス端末識別子を判断することと、
前記フェムトプロキシシステムから前記コアネットワーク要素に前記アクセス端末識別子を通信することとを備える、Ｃ１に記載の方法。
［Ｃ６］  前記複数のアクセス端末のうちの前記アクセス端末から、前記マクロネットワーク上で前記アクセス端末を識別するアクセス端末識別子を受信することをさらに備え、前記プレゼンスインジケーションを通信することが、前記ＡＴ識別子を通信することを備える、Ｃ１に記載の方法。
［Ｃ７］  前記アクセス端末の前記アクセス端末識別子が国際モバイル加入者識別情報（ＩＭＳＩ）を備える、Ｃ６に記載の方法。
［Ｃ８］  前記アクセス端末の前記アクセス端末識別子がモバイル加入者統合サービスデジタルネットワークを備える、Ｃ６に記載の方法。
［Ｃ９］  前記ＯＯＢチャネルを介して前記近接応答メッセージを受信した後に、前記複数のアクセス端末のいずれかがアクティブなマクロネットワーク通信しているかどうかを判断することと、
近接していると判断された前記複数のアクセス端末のうちの少なくとも１つがアクティブなマクロ通信していると判断されたときのみ、前記フェムトセルから前記コアネットワーク要素に前記ＯＯＢプレゼンスインジケーションを通信することとをさらに備える、Ｃ１に記載の方法。
［Ｃ１０］  前記複数のアクセス端末のいずれかがアクティブなマクロ通信しているかどうかを判断することが、逆方向リンク検知を使用してマクロチャネルを介して通信を検出することを備える、Ｃ９に記載の方法。
［Ｃ１１］  前記ＯＯＢリンクが短距離ワイヤレス通信リンクである、Ｃ１に記載の方法。
［Ｃ１２］  前記無方向性の近接要求メッセージがインクワイアリパケットであり、
前記近接応答メッセージがインクワイアリ応答パケットである、
Ｃ１１に記載の方法。
［Ｃ１３］  発見可能モードにあるアクセス端末において前記無方向性の近接要求を受信することをさらに備える、Ｃ１２に記載の方法。
［Ｃ１４］  前記発見可能モードが制限付き発見可能モードであり、前記無方向性の近接要求が制限付き照会アクセスコードを備える、Ｃ１３に記載の方法。
［Ｃ１５］  前記発見可能モードが制限付き発見可能モードであり、前記アクセス端末が、トリガに応答して前記制限付き発見可能モードに入る、Ｃ１３に記載の方法。
［Ｃ１６］  前記受信することは、前記複数のアクセス端末のうちの前記アクセス端末が規定デバイスクラスのアクセス端末である場合のみ、前記アクセス端末から前記ＯＯＢリンクを介して前記近接応答メッセージを受信することを備える、Ｃ１に記載の方法。
［Ｃ１７］  ハンドオフ要求に応答して前記コアネットワーク要素からモバイル検出要求を受信することをさらに備え、前記無方向性の近接要求メッセージを通信することが、前記モバイル検出要求を受信したことに応答する、Ｃ１に記載の方法。
［Ｃ１８］  前記無方向性の近接要求メッセージを通信することが、前記コアネットワーク要素からの要求とは無関係に実行される、Ｃ１に記載の方法。
［Ｃ１９］  フェムトプロキシシステムであって、前記フェムトプロキシシステムは以下を備える、
コアネットワーク要素を介してマクロネットワークに通信可能に結合されるように構成されたフェムトセルと、
ＯＯＢチャネルを介して複数のアクセス端末と通信するように構成され、前記フェムトセルに通信可能に結合された帯域外（ＯＯＢ）プロキシと、および
通信管理サブシステムであって、前記フェムトセルと前記ＯＯＢプロキシとに通信可能に結合され、以下のことを行うために構成される、
前記ＯＯＢチャネルを介して無方向性の近接要求メッセージを送るように前記ＯＯＢプロキシに指示し、前記近接要求メッセージは前記フェムトセルに近接したときに前記複数のアクセス端末のいずれかによって受信されるように構成される、ことと、
前記近接要求メッセージに応答して前記複数のアクセス端末のうちのある特定のアクセス端末から前記ＯＯＢチャネルを介して近接応答メッセージを受信し、前記近接応答メッセージは、前記アクセス端末が前記フェムトセルに近接していることを示す、ことと、
前記フェムトセルに対する前記特定のアクセス端末の近接を示すプレゼンスインジケーションを前記コアネットワーク要素に送るように前記フェムトセルに指示することと、
前記プレゼンスインジケーションに応答して前記マクロネットワークから転送指示を受信したことに応答して、前記マクロネットワークのソースマクロセルから前記フェムトセルへの前記特定のアクセス端末のアクティブなハンドインを可能にすること。
［Ｃ２０］  前記通信管理サブシステムが、前記近接応答メッセージ中に含まれている前記特定のアクセス端末のＯＯＢ識別子を前記コアネットワーク要素に送るようにさらに構成された、Ｃ１９に記載のシステム。
［Ｃ２１］  前記通信管理サブシステムが、前記近接応答メッセージ中に含まれている前記特定のアクセス端末のＯＯＢ識別子を、前記特定のアクセス端末を識別するＡＴ識別子にマッピングすることと、前記ＡＴ識別子を前記プレゼンスインジケーション中に含めることとを行うようにさらに構成された、Ｃ１９に記載のシステム。
［Ｃ２２］  前記通信管理サブシステムは、前記特定のアクセス端末がアクティブなマクロネットワーク通信しているかどうかを判断することと、前記特定のアクセス端末がアクティブなマクロネットワーク通信している場合のみ、前記プレゼンスインジケーションを送ることとを行うようにさらに構成された、Ｃ１９に記載のシステム。
［Ｃ２３］  前記通信管理サブシステムは、逆方向リンク検知を使用して前記特定のアクセス端末がアクティブなマクロネットワーク通信しているかどうかを判断するように構成された、Ｃ２２に記載のシステム。
［Ｃ２４］  前記通信管理サブシステムが、リモートデバイスからモバイル検出要求を受信したことに応答して前記無方向性の近接要求メッセージを送るように前記ＯＯＢプロキシに指示するように構成された、Ｃ１９に記載のシステム。
［Ｃ２５］  前記通信管理サブシステムが、前記コアネットワーク要素からのいかなる要求とも無関係に前記無方向性の近接要求メッセージを送るように前記ＯＯＢプロキシに指示するように構成された、Ｃ１９に記載のシステム。
［Ｃ２６］  フェムトプロキシシステムであって、前記フェムトプロキシシステムは以下を備える、
コアネットワーク要素を介してマクロネットワークと通信するためのマクロ通信手段と、
帯域外（ＯＯＢ）チャネルを介して複数のアクセス端末と通信するためのＯＯＢ通信手段と、
前記フェムトプロキシシステムに対するある特定のアクセス端末の近接を示すプレゼンスインジケーションを前記コアネットワーク要素に送るためのプレゼンスの手段と、
前記プレゼンスインジケーションに応答して前記マクロネットワークから転送指示を受信したことに応答して、前記マクロネットワークのソースマクロセルから前記フェムトプロキシシステムへの前記特定のアクセス端末のアクティブなハンドインを可能にするための手段。
［Ｃ２７］  前記ＯＯＢチャネルを介して無方向性の近接要求メッセージを送るように前記ＯＯＢ通信手段に指示するための手段を備え、前記近接要求メッセージは、前記フェムトプロキシシステムに近接したときに前記複数のアクセス端末のいずれかによって受信されるように構成され、ここにおいて、前記ＯＯＢ通信手段は、前記近接要求メッセージに応答して前記複数のアクセス端末のうちのある特定のアクセス端末から前記ＯＯＢチャネルを介して近接応答メッセージを受信するように構成され、前記近接応答メッセージが、前記アクセス端末が前記フェムトプロキシシステムに近接していることを示す、Ｃ２６に記載のシステム。
［Ｃ２８］  前記プレゼンスの手段が、前記近接応答メッセージ中に含まれている前記特定のアクセス端末のＯＯＢ識別子を前記コアネットワーク要素に送るようにさらに構成された、Ｃ２６に記載のシステム。
［Ｃ２９］  前記近接応答メッセージ中に含まれている前記特定のアクセス端末のＯＯＢ識別子を、前記特定のアクセス端末を識別するＡＴ識別子にマッピングするための手段をさらに備え、前記プレゼンスの手段が、前記ＡＴ識別子を前記プレゼンスインジケーション中に含めるように構成された、Ｃ２６に記載のシステム。
［Ｃ３０］  前記特定のアクセス端末がアクティブなマクロネットワーク通信しているかどうかを判断するためのアクティブなマクロ手段をさらに備え、前記プレゼンスの手段は、前記特定のアクセス端末がアクティブなマクロネットワーク通信している場合のみ、前記プレゼンスインジケーションを送るように構成された、Ｃ２６に記載のシステム。
［Ｃ３１］  前記アクティブなマクロ手段は、逆方向リンク検知を使用して前記特定のアクセス端末がアクティブなマクロネットワーク通信しているかどうかを判断するように構成された、Ｃ３０に記載のシステム。
［Ｃ３２］  前記ＯＯＢ通信手段が、前記ＯＯＢチャネルを介して前記特定のアクセス端末から無方向性の近接要求メッセージを受信するための手段を備え、前記近接要求メッセージは、前記特定のアクセス端末に近接したいずれかのフェムトプロキシシステムによって受信されるように構成され、前記システムは、前記近接要求メッセージに応答して前記特定のアクセス端末に前記ＯＯＢチャネルを介して近接応答メッセージを送るように前記ＯＯＢ通信手段に指示するための手段をさらに備え、前記近接応答メッセージが、前記フェムトプロキシシステムが前記特定のアクセス端末に近接していることを示す、Ｃ３０に記載のシステム。
［Ｃ３３］  前記ＯＯＢ通信手段が、リモートデバイスからモバイル検出要求を受信したことに応答して前記無方向性の近接要求メッセージを送るように構成された、Ｃ２６に記載のシステム。
［Ｃ３４］  前記ＯＯＢ通信手段が、前記コアネットワーク要素からの要求とは無関係に前記無方向性の近接要求メッセージを送りうる、Ｃ２６に記載のシステム。
［Ｃ３５］  フェムトプロキシシステムのコンピュータ可読媒体であって、前記コンピュータ可読媒体は前記フェムトプロキシシステムのコンピュータに以下のことを行わせるように構成されるコンピュータ可読命令を備える、
帯域外（ＯＯＢ）プロキシを介して、ＯＯＢチャネルを介して無方向性の近接要求メッセージを送り、前記近接要求メッセージが、前記フェムトプロキシシステムに近接したときに複数のアクセス端末のいずれかによって受信されるように構成される、ことと、
前記近接要求メッセージに応答して前記複数のアクセス端末のうちのある特定のアクセス端末から前記ＯＯＢチャネルを介して近接応答メッセージを受信し、前記近接応答メッセージは、前記アクセス端末が前記フェムトプロキシシステムに近接していることを示す、ことと、
前記フェムトプロキシシステムに対するある特定のアクセス端末の近接度を示すプレゼンスインジケーションを、前記近接要求メッセージに応答した、前記複数のアクセス端末のうちの前記特定のアクセス端末からの前記ＯＯＢチャネルを介した近接応答メッセージの受信に応答して、コアネットワーク要素に送り、前記近接応答メッセージは、前記アクセス端末が前記フェムトプロキシシステムに近接していることを示す、ことと、
前記プレゼンスインジケーションに応答したマクロネットワークからの転送指示の受信に応答して、前記マクロネットワークのソースマクロセルから前記フェムトプロキシシステムへの前記特定のアクセス端末のアクティブなハンドインを可能にすること。
［Ｃ３６］  前記命令が、前記ＯＯＢプロキシに、前記近接応答メッセージ中に含まれている前記特定のアクセス端末のＯＯＢ識別子を前記コアネットワーク要素に送ることを行わせるように構成された、Ｃ３５に記載のコンピュータ可読媒体。
［Ｃ３７］  前記コンピュータに、前記近接応答メッセージ中に含まれている前記特定のアクセス端末のＯＯＢ識別子を、前記特定のアクセス端末を識別するＡＴ識別子にマッピングすることと、前記ＡＴ識別子を前記プレゼンスインジケーション中に含めることとを行わせるように構成された命令をさらに備える、Ｃ３５に記載のコンピュータ可読媒体。
［Ｃ３８］  前記コンピュータに、前記特定のアクセス端末がアクティブなマクロネットワーク通信しているかどうかを判断することと、前記特定のアクセス端末がアクティブなマクロネットワーク通信している場合のみ、前記プレゼンスインジケーションを送ることとを行わせるように構成されたアクティブなマクロ命令をさらに備える、Ｃ３５に記載のコンピュータ可読媒体。
［Ｃ３９］  前記アクティブなマクロ命令は、前記コンピュータに、逆方向リンクの検知を使用して前記特定のアクセス端末がアクティブなマクロネットワーク通信しているかどうかを判断することを行わせるように構成された、Ｃ３８に記載のコンピュータ可読媒体。
［Ｃ４０］  前記コンピュータに、リモートデバイスからモバイル検出要求を受信したことに応答して前記無方向性の近接要求メッセージを送るように前記ＯＯＢプロキシに指示することを行わせるように構成された命令をさらに備える、Ｃ３５に記載のコンピュータ可読媒体。
［Ｃ４１］  前記コンピュータに、マクロセルネットワークデバイスからの要求とは無関係であるトリガに応答して前記無方向性の近接要求メッセージを送るように前記ＯＯＢプロキシに指示することを行わせるように構成された命令をさらに備える、Ｃ３５に記載のコンピュータ可読媒体。
［Ｃ４２］  マクロセルフェムトセル間ハンドインのためにアクセス端末をターゲットフェムトプロキシシステムに関連付けるための方法であって、前記方法は、
短距離帯域外（ＯＯＢ）チャネルを介してアクセス端末からフェムトプロキシシステムに無方向性の照会を通信することと、
前記無方向性の照会に応答して前記フェムトプロキシシステムから前記ＯＯＢチャネルを介して応答を受信することと、
前記アクセス端末と前記フェムトプロキシシステムとの間のＯＯＢリンクを確立することと、
前記ＯＯＢリンクを介して前記アクセス端末から前記フェムトプロキシシステムに一意のアクセス端末識別子を送ることとを備える、方法。
［Ｃ４３］  前記フェムトプロキシシステムからコアネットワーク要素に前記一意のアクセス端末識別子を送ることをさらに備える、Ｃ４２に記載の方法。
［Ｃ４４］  前記フェムトプロキシシステムによって、前記フェムトプロキシシステムに近接したいずれかのアクセス端末がアクティブなマクロセル通信しているかどうかを検出することをさらに備え、ここにおいて、前記フェムトプロキシシステムは、前記対応するアクセス端末がアクティブなマクロセル通信している場合のみ、前記コアネットワーク要素に前記一意の識別子を送る、Ｃ４３に記載の方法。
［Ｃ４５］  前記一意のアクセス端末識別子を前記コアネットワーク要素中のメモリに記憶することをさらに備える、Ｃ４３に記載の方法。
［Ｃ４６］  前記アクセス端末が、前記フェムトプロキシシステムに対する前記アクセス端末のロケーション、前記アクセス端末における無線周波シグナチャ、または前記アクセス端末の呼ステータスのうちの少なくとも１つを備えるトリガに応答して、前記無方向性の照会を通信する、Ｃ４２に記載の方法。
［Ｃ４７］  アクセス端末であって、前記アクセス端末は以下を備える、
短距離帯域外（ＯＯＢ）リンクを介してアクセス端末からフェムトプロキシシステムに無方向性の照会を通信するための手段と、
前記無方向性の照会に応答して前記フェムトプロキシシステムから前記ＯＯＢリンクを介して応答を受信するための手段と、
前記アクセス端末と前記フェムトプロキシシステムとの間のＯＯＢリンクを確立するための手段と、
前記ＯＯＢリンクを介して前記アクセス端末から前記フェムトプロキシシステムに一意のアクセス端末識別子を送るための手段。
［Ｃ４８］  通信するための前記手段が、前記フェムトプロキシシステムに対する前記アクセス端末のロケーション、前記アクセス端末における無線周波シグナチャ、または前記アクセス端末の呼ステータスのうちの少なくとも１つを備えるトリガに応答して、前記無方向性の照会を通信するように構成された、Ｃ４３に記載の端末。
【図１】
0005859647.tif 000002
【図２Ａ】
0005859647.tif 000003
【図２Ｂ】
0005859647.tif 000004
【図３】
0005859647.tif 000005
【図４Ａ】
0005859647.tif 000006
【図４Ｂ】
0005859647.tif 000007
【図５】
0005859647.tif 000008
【図６Ａ】
0005859647.tif 000009
【図６Ｂ】
0005859647.tif 000010
【図７Ａ】
0005859647.tif 000011
【図７Ｂ】
0005859647.tif 000012
【図８Ａ】
0005859647.tif 000013
【図８Ｂ】
0005859647.tif 000014
【図８Ｃ】
0005859647.tif 000015
【図８Ｄ】
0005859647.tif 000016
【図９】
0005859647.tif 000017
【図１０】
0005859647.tif 000018
【図１１】
0005859647.tif 000019
【図１２】
0005859647.tif 000020
【図１３】
0005859647.tif 000021
【図１４】
0005859647.tif 000022